(57)【要約】【課題】有体物が落下溝へ落下したことを条件に実行し得る制御の種類を増やしてゲーム性を向上させることが容易なプッシャーゲーム機を提供する。【解決手段】本プッシャーゲーム機は、メインテーブル上に多数載置されるメダルの中に、電子データを記憶する記憶部を備えた特殊有体物であるＩＣメダルＭ’が含まれており、そのＩＣメダルがメダル落下溝から落下したときにそのＩＣメダルの記憶部に記憶されている電子データを読み取るデータ読取手段としてのＩＣリーダ１００５を備えている。【選択図】図１８
2010063906.tif 000002
【特許請求の範囲】
【請求項１】
電子データを記憶する記憶部を備えた特殊有体物を含む多数の有体物を載置する載置面をもつ載置台と、
該載置面上の一部分に存在する有体物を該載置面上の他部分側に押し出すように、該載置面に対して該一部分に沿うように相対的に往復移動する押出部材と、
該押出部材により押し出された有体物により、該載置面外に押し出された有体物が落下する落下溝と、
該落下溝へ落下した特殊有体物の記憶部に記憶されている電子データを読み取るデータ読取手段とを有することを特徴とするプッシャーゲーム機。
【請求項２】
請求項１のプッシャーゲーム機において、
上記載置面上に載置される多数の有体物はメダルであり、上記特殊有体物は電子データを記憶する記憶部を備えた特殊メダルであることを特徴とするプッシャーゲーム機。
【請求項３】
請求項２プッシャーゲーム機において、
上記特殊メダルを受け取る特殊メダル受取手段と、
該特殊メダル受取手段が受け取った特殊メダルを上記載置面に向けて案内する特殊メダル案内手段とを有することを特徴とするプッシャーゲーム機。
【請求項４】
請求項１のプッシャーゲーム機において、
上記載置面上に載置される多数の有体物はメダルであり、上記特殊有体物は電子データを記憶する記憶部を備え、かつ、該メダルとは異なる形状をもつ異形物であることを特徴とするプッシャーゲーム機。
【請求項５】
請求項１、２、３又は４のプッシャーゲーム機において、
上記データ読取手段が読み出した電子データに基づいて決定される払出量分のゲーム媒体をプレイヤーへ払い出すためのゲーム媒体払出手段を有することを特徴とするプッシャーゲーム機。
【請求項６】
請求項１、２、３又は４のプッシャーゲーム機において、
上記データ読取手段が読み出した電子データに基づいて決定される排出量分の有体物を上記載置面に向けて排出する有体物排出手段を有することを特徴とするプッシャーゲーム機。
【請求項７】
請求項６のプッシャーゲーム機において、
上記有体物排出手段は、上記特殊有体物以外の有体物を排出するものであることを特徴とするプッシャーゲーム機。
【請求項８】
請求項１、２、３、４、５、６又は７のプッシャーゲーム機において、
上記特殊有体物の記憶部に所定の電子データを書き込むデータ書込手段を有することを特徴とするプッシャーゲーム機。
【発明の詳細な説明】
【技術分野】
【０００１】
本発明は、載置面上の一部分に存在するメダル等の有体物を載置面上の他部分側に押し出すように載置面に対してその一部分に沿って相対的に往復移動する押出部材で有体物が押し出されることにより載置面上の有体物が落下溝へ落下するプッシャーゲーム機に関するものである。
【背景技術】
【０００２】
この種のプッシャーゲーム機としては、上記有体物としてメダルを利用したものが知られている。このプッシャーゲーム機は、予め多数のメダルが堆積した平坦なフィールド面（載置面）とブロック状のメダルプッシャー（押出部材）とが一定のストロークで相対的に往復移動する構成をもっている。これにより、メダルプッシャーが退避したフィールド面部分に存在するメダルは、そのメダルプッシャーの押出面により押し出されることになり、そのフィールド面部分にはメダルがない状態になる。よって、例えば、メダルプッシャーが退避した後のフィールド面上の適当な箇所にメダルが排出されると、次にメダルプッシャーが戻ってきたときに、そのメダルがメダルプッシャーによって押し出される。このようにして押し出されたメダルはフィールド面上に堆積したメダルを押し出し、これによりその押出方向におけるフィールド面の外側にあるメダル落下溝にメダルを落下させる。メダル落下溝にメダルが落下すると、遊技者に対してメダルが払い出される。
【０００３】
従来のプッシャーゲーム機には、遊技者の興味を引くために、種々の趣向を凝らしたものが存在する。その１つとして、特許文献１に記載されたものがある。
上記特許文献１に記載のプッシャーゲーム機は、多数のメダルが堆積したフィールド面上にボール（異形物）を供給する。フィールド面上に供給されたボールは、、フィールド面上のメダルがメダル落下溝へ向かって移動するのに伴って移動する。ボールがメダル落下溝に落下すると、そのボールは、そのボールを使って物理的な抽選を行う抽選装置へと搬送され、その抽選で当選すると、その当選役に応じた枚数のメダルがフィールド面上に払い出される。
【０００４】
一方で、プッシャーゲーム機ではないが、電子データを記憶するための記憶部を備えたＩＣメダル（特殊有体物、特殊メダル）を使用するゲーム機が特許文献２に開示されている。このゲーム機は、ＩＣメダルが投入されると、そのＩＣメダルのＩＣチップに記憶されている電子データがゲーム機に読み取られ、読み取った電子データを用いて各種設定処理を行ったり、当該ＩＣメダルの有効期限の判断を行ったりする。
【発明の概要】
【発明が解決しようとする課題】
【０００５】
上記特許文献１のプッシャーゲーム機においては、有体物が落下溝へ落下したことを条件に実行される制御を、落下溝へ落下した有体物の形状の違い（メダルか、ボールか）によって異ならせることはできる。しかし、有体物が落下溝へ落下したことを条件に実行し得る制御の種類数は、最大でも、互いに形状が異なる有体物の種類数までである。そして、現実的には、形状が異なる有体物の種類を増やすにも限度があるため、有体物が落下溝へ落下したことを条件に実行し得る制御の種類を増やして、ゲーム性を向上させることが困難である。
【０００６】
本発明は、以上の背景に鑑みなされたものであり、その目的とするところは、有体物が落下溝へ落下したことを条件に実行し得る制御の種類を増やしてゲーム性を向上させることが容易なプッシャーゲーム機を提供することである。
【課題を解決するための手段】
【０００７】
上記目的を達成するために、請求項１の発明は、電子データを記憶する記憶部を備えた特殊有体物を含む多数の有体物を載置する載置面をもつ載置台と、該載置面上の一部分に存在する有体物を該載置面上の他部分側に押し出すように、該載置面に対して該一部分に沿うように相対的に往復移動する押出部材と、該押出部材により押し出された有体物により、該載置面外に押し出された有体物が落下する落下溝と、該落下溝へ落下した特殊有体物の記憶部に記憶されている電子データを読み取るデータ読取手段とを有することを特徴とするものである。
また、請求項２の発明は、請求項１のプッシャーゲーム機において、上記載置面上に載置される多数の有体物はメダルであり、上記特殊有体物は電子データを記憶する記憶部を備えた特殊メダルであることを特徴とするものである。
また、請求項３の発明は、請求項２プッシャーゲーム機において、上記特殊メダルを受け取る特殊メダル受取手段と、該特殊メダル受取手段が受け取った特殊メダルを上記載置面に向けて案内する特殊メダル案内手段とを有することを特徴とするものである。
また、請求項４の発明は、請求項１のプッシャーゲーム機において、上記載置面上に載置される多数の有体物はメダルであり、上記特殊有体物は電子データを記憶する記憶部を備え、かつ、該メダルとは異なる形状をもつ異形物であることを特徴とするものである。
また、請求項５の発明は、請求項１、２、３又は４のプッシャーゲーム機において、上記データ読取手段が読み出した電子データに基づいて決定される払出量分のゲーム媒体をプレイヤーへ払い出すためのゲーム媒体払出手段を有することを特徴とするものである。
また、請求項６の発明は、請求項１、２、３又は４のプッシャーゲーム機において、上記データ読取手段が読み出した電子データに基づいて決定される排出量分の有体物を上記載置面に向けて排出する有体物排出手段を有することを特徴とするものである。
また、請求項７の発明は、請求項６のプッシャーゲーム機において、上記有体物排出手段は、上記特殊有体物以外の有体物を排出するものであることを特徴とするものである。
また、請求項８の発明は、請求項１、２、３、４、５、６又は７のプッシャーゲーム機において、上記特殊有体物の記憶部に所定の電子データを書き込むデータ書込手段を有することを特徴とするものである。
【０００８】
ここで、「ゲーム媒体」とは、プレイヤーとプッシャーゲーム機との間でやりとりされる、メダル、コイン等の有体物あるいはこれらの電子データ等の無体物を意味する。よって、「ゲーム媒体払出手段」には、メダル等の有体物を排出する手段のほか、ゲーム媒体である電子データを記録した記録媒体にその払出分を増やすデータ処理を行う手段も含まれる。
【発明の効果】
【０００９】
本発明においては、載置面に載置される多数の有体物の中に含まれる特殊有体物が落下溝に落下すると、その特殊有体物の記憶部に記憶されている電子データをデータ読取手段により読み取ることができる。よって、データ読取手段が読み取った電子データの内容に応じて、異なる制御を実行することが可能となる。そして、各特殊有体物の記憶部に記憶する互いに異なる内容の電子データの種類を増やすことは、互いに形状が異なる有体物の種類を増やす場合に比べて容易である。したがって、本発明によれば、有体物が落下溝へ落下したことを条件に実行し得る制御の種類を増やしてゲーム性を向上させることが容易である。
【図面の簡単な説明】
【００１０】
【図１】実施形態１に係るプッシャーゲーム機の全体構成を示す部分斜視図である。
【図２】同プッシャーゲーム機におけるステーション部の構成を説明するための説明図である。
【図３】同ステーション部の内部構造を説明するための説明図である。
【図４】同ステーション部の表示部に表示されるスロット用ゲーム画面の一例を示す説明図である。
【図５】同ステーション部の表示部に表示されるビンゴ用ゲーム画面の一例を示す説明図である。
【図６】同プッシャーゲーム機におけるサテライト抽選装置の主要構成を示す斜視図である。
【図７】同ステーション部のプレイフィールド及びその周辺部の構成を抽出した部分斜視図である。
【図８】（ａ）及び（ｂ）は同プレイフィールドにおけるプッシャー部の往復運動を説明するための説明図である。
【図９】同プッシャーゲーム機のメダル搬送経路に設けられるメダル仕分け部の構成を示す上面図である。
【図１０】同ステーション部のメダル投入機構を示す斜視図である。
【図１１】同メダル投入機構の正面図である。
【図１２】同メダル投入機構の上面図である。
【図１３】同メダル投入機構の正面透視図である。
【図１４】同メダル投入機構の部分分解図である。
【図１５】同プッシャーゲーム機におけるセンター抽選装置の構成を示す正面図である。
【図１６】同センター抽選装置の構成を示す斜視図である。
【図１７】同センター抽選装置のディスプレイ装置に表示される画面の一例を示す説明図である。
【図１８】同プッシャーゲーム機におけるゲーム制御系とメダル排出制御系の主要構成を示すブロック図である。
【図１９】同プッシャーゲーム機の各ステーション部で行われるスロットゲームの流れを示すフローチャートである。
【図２０】同プッシャーゲーム機の各ステーション部で行われるビンゴゲームの流れを示すフローチャートである。
【図２１】同プッシャーゲーム機のセンター抽選装置で行われるジャックポット抽選の流れを示すフローチャートである。
【図２２】実施形態２に係るプッシャーゲーム機のプレイフィールド下部に配置されたメダル払出機構の構成を示す斜視図である。
【図２３】同プッシャーゲーム機におけるゲーム制御系とメダル排出制御系の主要構成を示すブロック図である。
【図２４】同プッシャーゲーム機におけるメダル投入機構を示す部分分解図である。
【図２５】同プッシャーゲーム機のメダル投入機構にＩＣメダルが投入されたときの制御の流れの一例を示すフローチャートである。
【図２６】実施形態３に係るプッシャーゲーム機のメダル落下溝にＩＣメダルが落下したときの制御の流れの一例を示すフローチャートである。
【発明を実施するための形態】
【００１１】
〔実施形態１〕
以下、本発明を、ゲーム装置としてのメダルゲーム機であるプッシャーゲーム機に適用した一実施形態（以下、本実施形態を「実施形態１」という。）について、図面を用いて説明する。
なお、各図は本発明の内容を理解でき得る程度に形状、大きさ及び位置関係を概略的に示してあるに過ぎず、したがって、本発明は各図で例示された形状、大きさ及び位置関係のみに限定されるものではない。また、各図では、構成の明瞭化のため、断面におけるハッチングの一部が省略されている。
【００１２】
（全体構成）
図１は、本実施形態１に係るプッシャーゲーム機１の外観の一部を示す斜視図である。
本プッシャーゲーム機１は、センター抽選装置２０００を囲うように４つのサテライト部ＳＡが設けられている。各サテライト部ＳＡは、それぞれ４つのステーション部ＳＴを備えており、各プレイヤーは各ステーション部ＳＴでそれぞれゲームをプレイすることになる。また、各サテライト部ＳＡは、物理抽選手段としてのサテライト抽選装置１０００をそれぞれ１つずつ備えており、そのサテライト抽選装置１０００の周りに各ステーション部ＳＴが並んで配置されている。
【００１３】
（ステーション部ＳＴの構成）
図２は、本プッシャーゲーム機１におけるステーション部ＳＴの構成を説明するための説明図である。
図３は、ステーション部ＳＴの内部構造を説明するための説明図である。
図３に示すように、ステーション部ＳＴは、メダル投入機構（ゲーム媒体受取手段）１００と、メダル搬送経路２００と、第１リフトアップホッパ３００と、第２リフトアップホッパ３５０と、メダル排出経路４００と、プレイフィールド５００と、制御部６００と、表示部７００と、筐体８００とを有する。
【００１４】
筐体８００は、ステーション部ＳＴの骨組みとなる構成である。筐体８００において、上部手前側にはメダル投入機構１００が配置され、上部奥側には表示手段としての表示部７００が配置され、上部中央にはプレイフィールド５００が配置される。また、筐体８００の内部には、メダル搬送経路２００、通常メダル排出機構としての第１リフトアップホッパ３００、特殊メダル排出機構としての第２リフトアップホッパ３５０、制御部６００などが収納される。ここで、「手前側」とはプレイヤーがゲームする際に位置する側を意味し、「奥側」とはプレイヤーがゲームする際に位置する側と反対側を意味し、「中央」とは上述した「手前側」と「奥側」との間の領域を意味する。
【００１５】
メダル投入機構１００は、プレイヤーがゲームする際にゲーム媒体としての通常メダル（以下、単に「メダル」という。）Ｍをプッシャーゲーム機１へ投入するための構成である。メダル投入機構１００から投入されたメダルＭは、メダル搬送経路２００を介して第１リフトアップホッパ３００まで搬送され、第１リフトアップホッパ３００において一時的に貯留される。メダル搬送経路２００及び第１リフトアップホッパ３００は、上述したように、筐体８００内に配置される。なお、メダル搬送経路２００は、メダル投入機構１００と第１リフトアップホッパ３００とを機械的及び物理的に連結させ、メダル投入機構１００から投入されたメダルＭを第１リフトアップホッパ３００まで搬送する機能を有する。
【００１６】
第１リフトアップホッパ３００は、メダルＭを蓄積するための通常メダル貯留容器としての通常メダル貯留部３１０と、メダルＭを所定の高さまでリフトアップするためのリフトアップ部３２０と、リフトアップされたメダルＭを所定のタイミングで排出するための通常メダル排出部３３０とを有する。また、通常メダル排出部３３０の排出口には、排出されたメダルＭをプレイフィールド５００まで導くためのメダル排出経路４００が左右に揺動可能に設けられている。
リフトアップ部３２０の上端は、プレイフィールド５００よりも上に配置される。これに伴い、リフトアップ部３２０の上端に設けられた通常メダル排出部３３０もプレイフィールド５００よりも上に配置される。したがって、プレイフィールド５００下に設けられた通常メダル貯留部３１０に一時蓄積されたメダルＭは、リフトアップ部３２０によりプレイフィールド５００よりも上に持ち上げられた後、通常メダル排出部３３０からメダル排出経路４００を介してプレイフィールド５００へ射出される。
【００１７】
第２リフトアップホッパ３５０は、ＩＣメダルＭ’を蓄積するための特殊メダル貯留容器としてのＩＣメダル貯留部３６０と、ＩＣメダルＭ’を所定の高さまでリフトアップするためのリフトアップ部３７０と、リフトアップされたＩＣメダルＭ’を所定のタイミングで排出するためのＩＣメダル排出部３８０とを有する。また、ＩＣメダル排出部３８０の排出口には、排出されたＩＣメダルＭ’をプレイフィールド５００まで導くためのメダル排出経路４５０が左右に揺動可能に設けられている。
リフトアップ部３７０の上端は、プレイフィールド５００よりも上に配置される。これに伴い、リフトアップ部３７０の上端に設けられたＩＣメダル排出部３８０もプレイフィールド５００よりも上に配置される。したがって、プレイフィールド５００下に設けられたＩＣメダル貯留部３６０に一時蓄積されたＩＣメダルＭ’は、リフトアップ部３７０によりプレイフィールド５００よりも上に持ち上げられた後、ＩＣメダル排出部３８０からメダル排出経路４５０を介してプレイフィールド５００へ射出される。
【００１８】
プレイフィールド５００内には、有体物であるメダルＭを貯留する載置台としてのメインテーブル５０１と、メインテーブル５０１上に載置された押出部材としてのプッシャー部５１０とが設けられている。プッシャー部５１０は、メダルＭを貯留する上面（これをサブテーブル５１１という。）と、サブテーブル５１１から落下したメダルＭがスライドする傾斜テーブル５１２と、メインテーブル５０１に貯留されたメダルＭを押進する押進壁５１３とを有する。また、プッシャー部５１０は、プレイフィールド５００におけるメインテーブル５０１上にスライド可能に設けられており、ゲーム制御手段としての制御部６００の制御の下、一定の周期又は任意の周期で前後にスライド運動する。プッシャー部５１０の一部（奥側）は、表示部７００の下方に設けられた後述する収納部７２０に収納される。プッシャー部５１０は、この収納部７２０から出入するようにスライドすることで、前後に往復運動する。
【００１９】
サブテーブル５１１には、表示部７００におけるディスプレイ７０１の枠部材７１０が摺動可能に当接されている。したがって、プッシャー部５１０が収納部７２０へ収納される方向へ移動した際、枠部材７１０によってサブテーブル５１１上のメダルＭが押進される。この押進により、サブテーブル５１１上の一部のメダルＭが傾斜テーブル５１２へ落下する。サブテーブル５１１から落下したメダルＭの一部は、傾斜テーブル５１２に設けられたメダル通過口としての開口部（これをチャッカー５１５−１，５１５−２，５１５−３という。）に進入する。また、残りのメダルＭは、そのままメインテーブル５０１まで落下し、メインテーブル５０１に貯留される。
【００２０】
メインテーブル５０１上のメダルＭは、サブテーブル５１１上のメダルＭと同様に、プッシャー部５１０のスライド運動により押進される。すなわち、メインテーブル５０１上にはプッシャー部５１０が隙間無く載置されているため、プッシャー部５１０が収納部７２０から搬出する方向へ移動した際、プッシャー部５１０の前面である押進壁５１３によってメインテーブル５０１上のメダルＭが押進される。この押進により、メインテーブル５０１上の一部のメダルＭが落下する。落下したメダルＭのうち、プレイヤー側の端（これを前端５０１ａ（図２参照）という。）からメダル落下溝へ落下したメダルＭはプレイヤーに払い出され、他のメダルＭ、例えばメインテーブル５０１の両サイド（これをサイド端５０１ｂという。）から落下したメダルＭはステーション部ＳＴ内の所定の貯留部、例えば上記通常メダル貯留部３１０にストックされる。
【００２１】
また、上記した構成の他、図３に示すように、本実施形態１によるステーション部ＳＴは、メダル移動擬似演出部９００を有する。メダル移動擬似演出部９００は、後述するように、メダル投入機構１００近傍から通常メダル排出部３３０近傍までに配列された複数の発光部（後述におけるＬＥＤ９２０）を有し、これら発光部をメダル投入機構１００側から通常メダル排出部３３０にかけて順次点灯させることで、メダル投入機構１００に投入されたメダルＭが移動する様子を模擬的に演出する。この際、メダルＭが実際に移動する経路と、演出により模擬される経路とは、同一でなくとも近接していなくとも良い。
【００２２】
また、メダル投入機構１００から投入されたメダルＭは、一時、第１リフトアップホッパ３００における通常メダル貯留部３１０にストックされる。第１リフトアップホッパ３００の通常メダル排出部３３０には通常メダル貯留部３１０にストックされていたメダルＭがリフトアップ部３２０によりリフトアップされて予めセットされている。メダル投入機構１００にメダルＭが投入されると、第１リフトアップホッパ３００は、制御部６００からの制御に従って、予め通常メダル排出部３３０にセットされていたメダルＭをプレイフィールド５００へ排出する。このように、本実施形態１では、プレイヤーより投入されたメダルＭと、実際にプレイフィールド５００へ投入されるメダルＭとは、異なるメダルである。
【００２３】
また、メダル移動擬似演出部９００は、メダル投入機構１００にメダルＭが投入されると、制御部６００からの制御に従って、配列されたＬＥＤ９２０を、メダル投入機構１００側から通常メダル排出部３３０にかけて順次点灯させる。この際、通常メダル排出部３３０近傍のＬＥＤ９２０を点灯させるタイミングと、通常メダル排出部３３０からメダルＭを排出するタイミングとを制御することで、メダル投入機構１００に投入されたメダルＭが移動する様子をメダル移動擬似演出部９００により模擬的に演出することができる。
【００２４】
一方、第２リフトアップホッパ３５０のＩＣメダル排出部３８０には、ＩＣメダル貯留部３６０にストックされていたＩＣメダルＭ’がリフトアップ部３７０によりリフトアップされて予めセットされている。ＩＣメダル排出部３８０は、制御部６００からの制御に従って、予めセットされていたＩＣメダルＭ’をプレイフィールド５００へ排出する。すなわち、本実施形態１においては、プレイフィールド５００内には、電子データを記憶する記憶部を備えていない通常メダルであるメダルＭと、電子データを記憶する記憶部を備えている特殊メダルであるＩＣメダルＭ’とが混在することになる。
【００２５】
本実施形態１において、ＩＣメダルＭ’のＩＣチップには、メダル価値データが記憶されている。メダル価値データとは、所定の基準価値に対する自己の相対価値を示すデータであって、本実施形態１では、当該ＩＣメダルＭ’が通常メダルＭの何枚分に相当するメダル価値を有するかを示すデータである。なお、「所定の基準価値に対する自己の相対価値」とは、数値で示されるものであり、予め決められた基準価値の値に対する相対値を意味するものである。ここでいう「メダル価値」とは、通常メダルＭへの換算値を意味し、メダル価値データが１０であるＩＣメダルＭ’は、通常メダル１０枚分のメダル価値を有することになる。なお、本実施形態１では、ＩＣメダルＭ’に記憶されるメダル価値データは「１０」と「３０」と「５０」のいずれかである。したがって、通常メダル１０枚分に相当するＩＣメダルＭ’と、通常メダル３０枚分に相当するＩＣメダルＭ’と、通常メダル５０枚分に相当するＩＣメダルＭ’の３種類のＩＣメダルが存在するが、これに限られるものではない。
【００２６】
また、本実施形態１において、ＩＣメダルＭ’の外形寸法はメダルＭよりも小さく形成されており、またメダル面上の模様や色彩もメダルＭとは異なっており、外観がメダルＭとは異なっている。したがって、プレイヤーは、プレイフィールド５００内に混在するメダルＭとＩＣメダルＭ’とを外観上区別して認識することができる。ただし、本実施形態１では、ＩＣメダルは、すべて外観上同一であるため、ＩＣチップに記憶されている電子データの違いは外観上区別して認識できないようになっている。なお、ＩＣチップに記憶されている電子データの違いによって外観上区別して認識できるようにしてもよい。
本実施形態１のように、メダルＭとＩＣメダルＭ’とを外観上区別して認識できることで、プレイヤーに対し、プレイフィールド５００内に存在するメダルＭよりもＩＣメダルＭ’を優先的にメダル落下溝へ落とすという戦略的なプレイを促すことができ、ゲーム性が向上する。なお、メダルＭとＩＣメダルＭ’とを外観上同一のものとし、プレイヤーがメダルＭとＩＣメダルＭ’とを外観上区別して認識できないようにしてもよい。この場合、プレイヤーがメダルＭとＩＣメダルＭ’とを外観上区別して認識できる場合には提供し得ないようなゲーム性を提供することが可能となる。
【００２７】
また、本実施形態１のＩＣメダルＭ’のＩＣチップには、本ＩＣメダルＭ’が使用される店舗に固有の店舗ＩＤが記憶されている。これにより、後述するように、当該店舗では使用が禁止されている他店舗のＩＣメダルＭ’が不正に使用されるのを防ぐことが可能となる。
また、本実施形態１のＩＣメダルＭ’のＩＣチップには、本ＩＣメダルＭ’の有効期限を特定するための有効期限データが記憶されている。これにより、ＩＣメダルＭ’の有効期限管理が可能となる。
また、ＩＣメダルＭ’のＩＣチップには個々のＩＣメダルＭ’に固有のメダルＩＤを記憶してもよい。この場合、各メダルＩＤに対応させた形で各種データを記憶したデータテーブル等をゲーム装置側又は店舗側で一元管理することができる。このような管理方法は、個々のＩＣメダルＭ’に有効期限データを記憶する場合に比べて、不正なデータ改ざんを防止しやすい点でセキュリティ効果が高い。また、個々のＩＣメダルＭ’にアクセスしなくても、各ＩＣメダルＭ’に対応させる有効期限データの変更が可能であることから、店舗側の運営方針に柔軟に対応することができる。すなわち、ＩＣメダルＭ’がプレイヤーの手に渡った後であっても、そのＩＣメダルＭ’の有効期限データを変更することが可能になることから、プレイヤーへＩＣメダルＭ’を払い出した後にそのＩＣメダルＭ’の有効期限を変更したい事情が生じた場合にも容易に対応することができる。
なお、ＩＣメダルＭ’のＩＣチップに記憶する電子データは、本実施形態１に例示したものに限らず、ＩＣメダルＭ’の利用方法等に応じて適宜選択される電子データが記憶される。
【００２８】
ステーション部ＳＴは、図２に示すように、少なくとも一方のサイドにボール投入機構１８００を有する。ボール投入機構１８００は、後述する異形物としての球状物体であるボールＢ１，Ｂ２をプレイフィールド５００へ投入するための構成であり、ボール投入スロープ１８０１とボール投入位置抽選機構１８１０とを有する。なお、ボールＢ１，Ｂ２は、後述するビンゴゲームを実行するための抽選用物体である。
【００２９】
ボール投入スロープ１８０１は、後述するボールキャリア１５２０から投入されたボールＢ１，Ｂ２をボール投入位置抽選機構１８１０まで重力により導くための構成である。したがって、下りのスロープである。また、ボール投入位置抽選機構１８１０は、ボールＢ１，Ｂ２が投入されるプレイフィールド５００上の位置を抽選するための構成である。このように、後述するボールキャリア１５２０からステーション部ＳＴへ投入されたボールＢ１，Ｂ２は、ボール投入スロープ１８０１及びボール投入位置抽選機構１８１０を介して、プレイフィールド５００に投入される。
【００３０】
また、ステーション部ＳＴは、図２に示すように、少なくとも一方のサイドにボール運搬機構１９００を有する。ボール運搬機構１９００は、プレイフィールド５００におけるメインテーブル５０１からその手前側に設けられたメダル落下溝へボールＢ１，Ｂ２が落下したとき、そのボールＢ１，Ｂ２をサテライト抽選装置１０００へ運搬するための構成であり、後述するボール搬送経路１０４０とボール運搬部１９１０とボール運搬部走行スロープ１９０１とを有する。ボール搬送経路１０４０は、前端５０１ａの下方に設けられ、前端５０１ａから落下したボールＢ１，Ｂ２をボール運搬部１９１０まで導く。ボール運搬部１９１０は、ボール搬送経路１０４０を介して受け取ったボールＢ１，Ｂ２をサテライト抽選装置１０００へ運搬するための構成であり、制御部６００の制御に従ってボール運搬部走行スロープ１９０１を走行する。なお、サテライト抽選装置１０００へ運搬されたボールＢ１，Ｂ２は、後述するボールキャリア１５２０（図６参照）へ受け渡される。
【００３１】
また、ステーション部ＳＴは、図２に示すように、第３リフトアップホッパ１０２０とメダル払出部１０３０とを含むメダル払出機構を有し、このメダル払出機構を駆動することで、前端５０１ａからメダル落下溝へ落下したメダルＭと同等のメダル価値分のメダルＭが、メダル投入機構１００の貯留面１０１へ排出される。
【００３２】
また、ステーション部ＳＴにおける表示部７００には、ビンゴゲームやデジタル抽選ゲーム（スロットゲーム）など、プッシャーゲームとは異なるゲームのゲーム画面が表示される。本プッシャーゲーム機１では、後述するように、プッシャーゲームのほか、図４に示すようなスロット用ゲーム画面を表示部７００に表示してスロットゲームを実行するとともに、図５に示すようなビンゴ用ゲーム画面を表示部７００に表示してビンゴゲームを実行する。
【００３３】
スロットゲームは、主にステーション部ＳＴにおけるゲーム制御手段としての制御部６００がデジタル的に抽選するデジタル抽選ゲームである。このスロットゲームの開始条件は、プッシャー部５１０の傾斜テーブル５１２に設けられたチャッカー５１５−１，５１５−２，５１５−３のいずれかにメダルＭ又はＩＣメダルＭ’が進入することである。表示部７００には、後述のビンゴゲームが進行していない期間に、図４に示すようなスロット用ゲーム画面が表示され、チャッカー５１５−１，５１５−２，５１５−３のいずれかにメダルＭ又はＩＣメダルＭ’が進入してスロット抽選開始条件が満たされると、制御部６００は、３つのダイス状スロットＤＳを回転させる表示制御を行う。スロットゲームにおけるデジタル抽選では、制御部６００が所定の抽選プログラムを実行し、生成された乱数が所定の当選テーブルに照らしていずれかの役に当選したか又はハズレたかを決定する。その後、制御部６００は、当選役が決定した場合には表示部７００にその当選役に係る図柄の組み合わせが停止表示するように、３つのダイス状スロットＤＳの回転を停止させる表示制御を行う。
【００３４】
本実施形態１では、デジタル抽選の役として、プレイフィールド５００へ３枚のメダルＭを供給する小当たり役Ａ、プレイフィールド５００へＩＣメダルＭ’を３枚供給する小当たり役Ｂ、プレイフィールド５００へボールＢ１を供給するボール供給役、プレイフィールド５００へ３０枚のメダルを供給する通常ボーナス役、プレイフィールド５００へ３０枚のメダルを供給するとともに以後のデジタル抽選で当選確率が高めに設定された当選テーブルを用いる確変ボーナス役、サテライト抽選装置１０００へボールＢ１を直接供給する直接サテライト役、センター抽選装置２０００へボールＢ１を直接供給する直接センター役などが用意されている。各役の当選確率はこの順に低くなるように設定されている。なお、どのような役を用意し、各役をどのような当選確率に設定するかは任意である。例えば、メダルＭをプレイヤーへ直接払い出すなど、種々の利益をプレイヤーへ与えるように構成しても良い。
【００３５】
本実施形態１においては、制御部６００がボール供給役に当選するか否かを決定することにより、プレイフィールド５００へボールＢ１を供給するか否かのデジタル抽選が行われる。そして、制御部６００のデジタル抽選によりボール供給役が当選すると、制御部６００からサテライト抽選装置１０００の図示しない制御部へボール供給命令が出力される。これにより、サテライト抽選装置１０００の制御部は、後述するように、ボール供給機構１３００からボールキャリア１５２０へボールＢ１を受け渡させ、そのボールキャリア１５２０を環状のボール搬送経路１５００の外周に沿って、当該ボール供給役が当選したステーション部ＳＴの対応位置まで移動させる。そして、そのボールキャリア１５２０から当該ステーション部ＳＴのボール投入機構１８００へボールＢ１が受け渡され、そのボール投入機構１８００からプレイフィールド５００へボールＢ１が供給される。なお、本実施形態１において、ボールＢ２は後述するビンゴゲームのビンゴカード上において特定ラインのビンゴが成立したときにのみプレイフィールド５００へ供給される。このときのボール供給に関わる構成及び動作は、ボール供給機構１３００とは別のボール供給機構１４００からボールキャリア１５２０へボールＢ２を受け渡させる以外は、ボールＢ１の場合とほぼ同様である。
本実施形態１では、このようにボールＢ１，Ｂ２をプレイフィールド５００へ供給するための構成部分が異形物供給手段を構成する。
【００３６】
ビンゴゲームは、２種類のボールＢ１，Ｂ２とサテライト抽選装置１０００とを用いた物理抽選により進行する物理抽選ゲームであり、後述するサテライト抽選装置１０００における図示しない制御部とステーション部ＳＴにおける制御部６００とによって進行する。なお、ビンゴゲームにおいて、サテライト抽選装置１０００の制御部は主にビンゴゲームの当選ビンゴ数字を決定する抽選を制御し、そのサテライト抽選装置１０００を含むサテライト部ＳＡに属する各ステーション部ＳＴの制御部６００が主にビンゴゲームの演出やビンゴ成立の判定等の制御を担当する。本実施形態１では、サテライト抽選装置１０００でボールＢ１，Ｂ２を移動させることにより、互いに異なる複数のビンゴ数字（抽選対象）の中から１つの当選ビンゴ数字（当選対象）を選択するという物理抽選を行う。本実施形態１の物理抽選では、「１」〜「９」のビンゴ数字の中から１つの当選ビンゴ数字を選択する。そして、これらの「１」〜「９」のビンゴ数字がマトリクス状に配列されたビンゴカードの配列情報を、例えばステーション部ＳＴの配列情報生成手段としての制御部６００で各ステーション部ＳＴごとに個別に生成する。その後、「１」〜「９」のビンゴ数字の画像（抽選対象画像）がその配列情報に従って配列されたビンゴカード画像ＢＣが図５に示すように各ステーション部ＳＴの表示部７００に表示される。本実施形態１では、ビンゴゲームが行われていない期間は、表示部７００に図４に示したスロット用ゲーム画面が表示されており、ビンゴゲームの物理抽選が開始されるときに図５に示すビンゴ用ゲーム画面に切り替わる。なお、ビンゴゲームの物理抽選が終わると再びスロット用ゲーム画面に戻るが、ビンゴカード画像ＢＣは図４に示すようにスロット用ゲーム画面の上部に小さく表示される。よって、プレイヤーは、自分がプレイするステーション部ＳＴのビンゴカードで当選ビンゴ数字がどの程度揃っているかを常に確認することができる。
【００３７】
本実施形態１において、各ステーションで行われる各ビンゴゲームは、通常は、ステーション部ＳＴごとに独立して行われる。すなわち、一のステーション部ＳＴでボールＢ１，Ｂ２がメダル落下溝に落下してサテライト抽選装置１０００で物理抽選が開始されると、これにより当選したビンゴ数字は、当該一のステーション部ＳＴだけに当選ビンゴ数字として取り扱われ、他のステーション部ＳＴでは当選ビンゴ数字として取り扱われない。ただし、本実施形態１においては、後述する所定のイベント条件を満たすと、一のステーション部ＳＴのメダル落下溝にボールＢ１，Ｂ２が落下したときに行われる物理抽選で当選するビンゴ数字は、当該一のステーション部ＳＴだけでなく、他のステーション部ＳＴの当選ビンゴ数字としても取り扱われる。
【００３８】
ここで、本実施形態１における他のステーション部ＳＴは、当該一のステーション部ＳＴと同じサテライト部ＳＡに属する残り３つのステーション部ＳＴである。すなわち、本実施形態１においては、本プッシャーゲーム機１に備わっている全ステーション部ＳＴを複数グループに分けて各グループをサテライト部ＳＡとし、そのサテライト部ＳＡに属するステーション部ＳＴ間においては上記イベント条件が満たされることで各プレイヤーのゲームが互いに関連し合うという状況を生むことができる。その結果、例えば同一サテライト部ＳＡに属するステーション部ＳＴでそれぞれプレイするプレイヤーが互いに協力してメダル獲得をめざすというようなゲーム性が生まれる。
その他、本実施形態１におけるビンゴゲームの詳細については後述する。
【００３９】
（サテライト抽選装置の構成）
図６は、サテライト抽選装置１０００の主要構成を示す斜視図である。
サテライト抽選装置１０００は、アウタービンゴステージ１１００と、インナービンゴステージ１２００と、ボール供給機構１３００及び１４００と、ボール搬送経路１５００と、ステージボール投入機構１６００と、支持台１７００とを有する。
【００４０】
支持台１７００は、サテライト抽選装置１０００の骨組みとなる構成であり、他の構成を支持する。支持台１７００において、上部中央にはインナービンゴステージ１２００が配設され、このインナービンゴステージ１２００の周囲を囲うようにアウタービンゴステージ１１００が配設されている。さらに、アウタービンゴステージ１１００の周囲を囲うようにボール搬送経路１５００が配設されている。ボール搬送経路１５００の脇には、ボール供給機構１３００，１４００が設けられている。
【００４１】
ボール供給機構１３００は、ある種のボール、例えば非金属製のボールＢ１を供給するための構成である。一方、ボール供給機構１４００は、ボールＢ１とは異なる種、例えば金属製のボールＢ２を供給するための構成である。なお、ボールＢ１とボールＢ２との違いは、金属であるか非金属であるかに関わらず、他の要因、例えばボールの色により規定されていても良い。
【００４２】
このボール供給機構１３００は、ボール供給部１３０１とリフトアップ部１３０２とボール帰還経路１３０３とを有する。ボール供給部１３０１は、後述するボールキャリア１５２０にボールＢ１を供給するための構成である。リフトアップ部１３０２は、ボールＢ１をボール供給部１３０１までリフトアップするための構成である。ボール帰還経路１３０３は、後述するアウタービンゴステージ１１００に供給されたボールＢ１をボール供給機構１３００におけるリフトアップ部１３０２へ帰還させるための経路となる構成である。
【００４３】
同様に、ボール供給機構１４００は、ボール供給部１４０１とリフトアップ部１４０２とボール帰還経路（図示せず）とを有する。ボール供給部１４０１は、後述するボールキャリア１５２０にボールＢ２を供給するための構成である。リフトアップ部１４０２は、ボールＢ２をボール供給部１４０１までリフトアップするための構成である。図示しないボール帰還経路は、後述するインナービンゴステージ１２００に供給されたボールＢ２を第２ボール供給機構１４００におけるリフトアップ部１４０２へ帰還させるための経路となる構成である。
【００４４】
ボールキャリア１５２０は、環状のボール搬送経路１５００の外周に沿ってボールＢ１，Ｂ２を運搬するための構成である。このボールキャリア１５２０は、Ｖ字状に曲がった２つの棒状部材よりなる受部を有し、これにボールＢ１，Ｂ２を保持する。また、ボールキャリア１５２０は、ボール搬送経路１５００に沿って設けられたリング状の部材１５５０に固定されている。したがって、リング状の部材がボール搬送経路１５００に沿って回転することで、ボールキャリア１５２０はボール搬送経路１５００に沿って移動する。
【００４５】
ボール搬送経路１５００は、外周面に複数のセンサ部１５１０を有する。センサ部１５１０は、これの直近にボールキャリア１５２０が存在するか否かを検出するための構成である。センサ部１５１０で検出された情報は、適宜又はリアルタイムに、例えば図示しない制御部へ入力される。この制御部は、センサ部１５１０から送られてきた情報に基づいてボールキャリア１５２０の位置を特定し、これに基づいてボールキャリア１５２０の走行及び停止を制御する。例えば図２に示すステーション部ＳＴへボールＢ１を供給する場合、この制御部は、センサ部１５１０からの情報に基づいて、ボールキャリア１５２０をセンサ部１５１０−１の位置に停止させる。これにより、ボールキャリア１５２０がボール投入スロープ１８０１の延長上に位置される。この状態で、図示しない制御部によりボールキャリア１５２０のＶ字状の受け部をボール投入スロープ１８０１側へ倒されると、ボールキャリア１５２０に保持されていたボールＢ１，Ｂ２がボール投入スロープ１８０１（図２参照）の入口に投入される。なお、センサ部１５１０は、ボール搬送経路１５００の外周面上であって、個々のステーション部ＳＴにおけるボール投入スロープ１８０１が配置される位置並びにボール運搬部走行スロープ１９０１が配置される位置にそれぞれ設けられる。
【００４６】
ボール投入スロープ１８０１に投入されたボールＢ１，Ｂ２は、図２に示すストッパ１８０２によって一時的に保持される。そして、プレイヤーがボタン１６０を押してその操作信号が制御部６００に送られると、制御部６００は、ストッパ１８０２がボール投入スロープ１８０１の出口側へ倒れるように駆動制御する。これにより、ストッパ１８０２で止められていたボールＢ１，Ｂ２は、そのボール投入スロープ１８０１の傾斜によって転がり落ち、ボール投入位置抽選機構１８１０を介してプレイフィールド５００に投入される。プレイフィールド５００に投入されたボールＢ１，Ｂ２は、プッシャーゲームの進行過程において、メダルＭやＩＣメダルＭ’と同様に、メインテーブル５０１の前端５０１ａからメダル落下溝へ落下する。落下したボールＢ１，Ｂ２は、上述したように、後述するボール搬送経路１０４０を介してボール運搬部１９１０にセットされる。なお、このボール搬送経路１０４０は、ボールＢ１，Ｂ２のみを受け止め、メダルＭ及びＩＣメダルＭ’を通過させるボール受け部１０４１を有する。また、ボール運搬部１９１０は、通常の状態では、ボール搬送経路１０４０のボール排出口１０４３に待機している。
【００４７】
ボール運搬部１９１０は、上述したようにボールＢ１，Ｂ２をサテライト抽選装置１０００へ運搬するための構成である。ボール運搬部１９１０は、ボールＢ１，Ｂ２がセットされると、図示しない制御部からの制御に基づいてボール運搬部走行スロープ１９０１を駆け上がり、ボール運搬部走行スロープ１９０１の上端に移動する。ボール運搬部走行スロープ１９０１の上端近傍には、ボールキャリア１５２０が待機している。ボール運搬部１９１０は、ボール運搬部走行スロープ１９０１の上端に移動した後、運搬したボールＢ１，Ｂ２をボールキャリア１５２０に渡す。なお、ボールＢ１，Ｂ２が受け渡されたボールキャリア１５２０は、これを保持する姿勢となる。
【００４８】
また、ボールキャリア１５２０は、ボールＢ１，Ｂ２を受け取ると、図示しない制御部からの制御に基づいて、ステージボール投入機構１６００と対向する位置へ移動する。ステージボール投入機構１６００は、ボールＢ１をアウタービンゴステージ１１００へ投入するための受皿１６１０と、ボールＢ２をインナービンゴステージ１２００へ投入するための受皿１６２０とを有する。ボールキャリア１５２０は、上述した図示しない制御部からの制御に基づいて、保持しているボールの種類（Ｂ１，Ｂ２）に従って、受皿１６１０又は１６２０と対向する位置に移動する。受皿１６１０、１６２０はボールキャリア１５２０からボールを受け取る際にはボールキャリア１５２０と対向する位置まで下降し、ボールキャリア１５２０からボールを受け取るとボール投入経路１１１０、１２１０と対向する位置まで上昇する。そしてボール投入タイミングまでボールを保持する。
【００４９】
例えばボール運搬部１９１０からボールＢ１を受け取った場合、ボールキャリア１５２０は、ボール搬送経路１５００に沿って走行後、このボールＢ１をステージボール投入機構１６００における受皿１６１０へ受け渡す。ボールＢ１を受け取った受皿１６１０は、例えばプレイヤーがボタン１６０を押したタイミングで、保持しているボールＢ１をボール投入経路１１１０へ投入する。投入されたボールＢ１は、ボール投入経路１１１０の傾斜及び長さに応じた加速を得た後、アウタービンゴステージ１１００へ投入される。また、例えばボール運搬部１９１０からボールＢ２を受け取った場合、ボールキャリア１５２０は、ボール搬送経路１５００に沿って走行後、このボールＢ２をステージボール投入機構１６００における受皿１６２０に受け渡す。ボールＢ２を受け取った受皿１６２０は、例えばプレイヤーがボタン１６０を押したタイミングで、保持しているボールＢ２をボール投入経路１２１０へ投入する。投入されたボールＢ２は、ボール投入経路１２１０の傾斜及び長さに応じた加速を得た後、インナービンゴステージ１２００へ投入される。なお、ボールキャリア１５２０に受け渡されたボールの種類がＢ１であるかＢ２であるかは、例えばボールＢ１を非金属製とし、ボールＢ２を金属製とした場合、金属センサなどボールキャリア１５２０に設けることで検出することができる。また、例えばボールＢ１とボールＢ２とを異なる色とした場合、カラーセンサなどをボールキャリア１５２０に設けることで、受け渡されたボールの種類を検出することができる。また、検出されたボールの種類は、図示しない制御部へ送られる。従って、ボールキャリア１５２０は、この制御部へ通知したボールの種類に基づいて制御される。
【００５０】
アウタービンゴステージ１１００は、ボールＢ１が通過できる程度の径を持つ２つ以上の穴（これを入賞スポット１１０１という。）を有し、所定の周期でインナービンゴステージ１２００の周囲を回転している。本実施形態１においては、ビンゴゲームで用いる「１」〜「９」におけるビンゴ数字と、センター抽選装置２０００での抽選開始の権利とがそれぞれ割り当てられた、合計１０個の入賞スポット１１０１が設けられている。アウタービンゴステージ１１００に投入されたボールＢ１は、ボール投入経路１１１０において得た加速及びアウタービンゴステージ１１００自体の回転によりアウタービンゴステージ１１００を周回した後、いずれかの入賞スポット１１０１へ入る。どの入賞スポット１１０１にボールＢ１が入ったかの情報は、適宜、図示しない制御部へ送られる。この制御部は、ビンゴ数字が割り当てられたいずれかの入賞スポット１１０１にボールＢ１が入ると、そのボールＢ１の運搬元であるステーション部ＳＴの制御部６００等と協働して、当該入賞スポット１１０１に割り当てられたビンゴ数字を当選ビンゴ数字とし、ビンゴゲームを進行する。なお、入賞スポット１１０１に入ったボールＢ１は、プレイヤーが確認できるように、一時、入賞スポット１１０１の入口に保持された後、アウタービンゴステージ１１００下方に設けられたボール帰還経路１３０３に投入される。
【００５１】
同様に、インナービンゴステージ１２００は、ボールＢ２が通過できる程度の径を持つ１つ以上の入賞スポット１２０１を有し、その中心部分を回転中心として所定の周期で回転している。本実施形態１においては、ビンゴゲームで用いる「１」〜「８」におけるビンゴ数字がそれぞれ２つずつ割り当てられた４つの入賞スポット１２０１と、センター抽選装置２０００での抽選開始の権利が割り当てられた１つの入賞スポット１２０１の合計５個の入賞スポット１２０１が設けられている。インナービンゴステージ１２００に投入されたボールＢ２は、ボール投入経路１２１０において得た加速及びインナービンゴステージ１２００自体の回転によりインナービンゴステージ１２００を周回した後、いずれかの入賞スポット１２０１へ入る。どの入賞スポット１２０１にボールＢ２が入ったかの情報は、適宜、図示しない制御部へ送られる。この制御部は、ビンゴ数字が割り当てられたいずれかの入賞スポット１２０１にボールＢ２が入ると、そのボールＢ２の運搬元であるステーション部ＳＴの制御部６００等と協働して、当該入賞スポット１２０１に割り当てられたビンゴ数字を当選ビンゴ数字とし、ビンゴゲームを進行する。なお、入賞スポット１２０１に入ったボールＢ２は、プレイヤーが確認できるように、一時、入賞スポット１２０１の入口に保持された後、インナービンゴステージ１２００下方に設けられた図示しないボール帰還経路に投入される。
【００５２】
また、アウタービンゴステージ１１００又はインナービンゴステージ１２００において、ボールＢ１，Ｂ２がセンター抽選装置２０００での抽選開始の権利が割り当てられた入賞スポット１１０１，１２０１に入ると、サテライト抽選装置１０００の図示しない制御部は、後述するセンター抽選装置２０００の図示しない制御部に、ジャックポット抽選の開始命令を出力する。このセンター抽選装置２０００でのジャックポット抽選についての詳細は後述する。
【００５３】
（プレイフィールドの構成）
図７は、プレイフィールド５００及びその周辺部の構成を抽出した部分斜視図である。
図８（ａ）及び（ｂ）は、プレイフィールド５００におけるプッシャー部５１０の往復運動を説明するための説明図である。
上述したように、プレイフィールド５００は、載置台であるメインテーブル５０１と、メインテーブル５０１上に摺動可能に載置された押出部材であるプッシャー部５１０とから構成される。プッシャー部５１０は、表示部７００のディスプレイ７０１の下方に設けられた収納部７２０を出入するように、メインテーブル５０１上を前後にスライド運動する。なお、図８（ａ）はプッシャー部５１０が収納部７２０内に最も退避した際の上視図であり、図８（ｂ）はプッシャー部５１０が収納部７２０から最も突出した際の上視図である。
【００５４】
プッシャー部５１０の上面であるサブテーブル５１１には、上述したように、表示部７００の枠部材７１０が当接されている。したがって、プッシャー部５１０の上面であるサブテーブル５１１上に貯留されたメダルＭ又はＩＣメダルＭ’は、プッシャー部５１０が収納部７２０へ入る方向へ移動した際（図８において（ｂ）→（ａ）参照）に、枠部材７１０によりサブテーブル５１１上を傾斜テーブル５１２方向へ押進され、サブテーブル５１１上のメダルＭ又はＩＣメダルＭ’が全体として傾斜テーブル５１２へ向かう方向へ流れる。この結果、傾斜テーブル５１２近傍に存在したサブテーブル５１１上の一部のメダルＭ又はＩＣメダルＭ’が傾斜テーブル５１２へ落下する。なお、落下したメダルＭ又はＩＣメダルＭ’のうちの一部は傾斜テーブル５１２に設けられたチャッカー５１５−１，５１５−２，５１５−３のいずれかに進入し、残りはメインテーブル５０１まで落下する。また、プッシャー部５１０がスライドする範囲の両サイドには、落下防止壁５２１が設けられており、サブテーブル５１１のサイドからメダルＭ又はＩＣメダルＭ’が落下することが防止されている。
【００５５】
また、プッシャー部５１０は、メインテーブル５０１上に隙間無く載置されている。なお、ここでいう「隙間無く」とは、メダルＭ及びＩＣメダルＭ’の幅以上の隙間が存在しないことをいう。したがって、メインテーブル５０１上に貯留されたメダルＭ又はＩＣメダルＭ’は、プッシャー部５１０が収納部７２０から出る方向へ移動した際（図８において（ａ）→（ｂ）参照）に、プッシャー部５１０の前面の押進壁５１３によりメインテーブル５０１上を前端５０１ａ方向へ押進され、メインテーブル５０１上のメダルＭ又はＩＣメダルＭ’が全体として前端５０１ａへ向かう方向へ流れる。この結果、前端５０１ａ近傍に存在したメインテーブル５０１上の一部のメダルＭ又はＩＣメダルＭ’が前端５０１ａからメダル落下溝へ落下する。また、この際のメダルＭ又はＩＣメダルＭ’の流れにより、メインテーブル５０１の両脇の端（サイド端５０１ｂ）近傍に存在したメインテーブル５０１上の一部のメダルＭ又はＩＣメダルＭ’が、サイド端５０１ｂから落下することがある。なお、サイド端５０１ｂから落下したメダルＭ又はＩＣメダルＭ’は、ステーション部ＳＴ内部の所定の貯留部に貯留される。
【００５６】
また、前端５０１ａから落下したメダルＭ又はＩＣメダルＭ’は、図７に示すように、前端５０１ａの下方すなわちメダル落下溝内に設けられたメダル受け１００１に受け止められる。メダル受け１００１は、メダル仕分け部を備えるメダル搬送経路１００２に繋がっている。また、メダル受け１００１はメダル搬送経路１００２との連結部分に向けて傾斜している。そのため、メダル受け１００１に受け止められたメダルＭ又はＩＣメダルＭ’はメダル搬送経路１００２へ流れ込む。メダル搬送経路１００２はメダル払出機構の第３リフトアップホッパ１０２０における貯留部１０２１へ向けて傾斜している。なお、メダル受け１００１とメダル搬送経路１００２との連結部分には、後述するボールＢ１，Ｂ２を塞き止めるための分別棒１０１０が設けられており、ボールＢ１，Ｂ２がメダル搬送経路１００２のメダル搬送方向下流へ搬送されないように構成されている。
【００５７】
図９は、メダル搬送経路１００２に設けられるメダル仕分け部の構成を示す上面図である。
メダル仕分け部は、メダル搬送経路１００２の底面に設けられた仕分け孔１００３により構成されている。この仕分け孔１００３の幅（メダル搬送方向に対して直交する方向の長さ）は、メダルＭの直径よりも小さく、かつ、ＩＣメダルＭ’の直径よりも大きい。したがって、メダルＭは、メダル搬送経路１００２の底面にそのメダル面を当接させるようにして滑って搬送されてくると、仕分け孔１００３には落ちずに、その仕分け孔１００３を通過し、第３リフトアップホッパ１０２０における貯留部１０２１へと搬送される。一方、メダルＭよりも直径が小さいＩＣメダルＭ’は、メダル搬送経路１００２の底面にそのメダル面を当接させるようにして滑って搬送されてくると、仕分け孔１００３に落ちる。仕分け孔１００３の下方には、第２リフトアップホッパ３５０におけるＩＣメダル貯留部３６０へ向けて傾斜したＩＣメダル搬送経路１００４が配置されている。よって、仕分け孔１００３に落ちたＩＣメダルＭ’は、第２リフトアップホッパ３５０におけるＩＣメダル貯留部３６０へと搬送される。
【００５８】
また、ＩＣメダル搬送経路１００４の底面には、データ読取手段としてのＩＣリーダ１００５が設けられている。ＩＣリーダ１００５は、通過するＩＣメダルＭ’のＩＣチップに記憶されている電子データを読み取るものである。ＩＣリーダ１００５は、ＩＣメダルＭ’のＩＣチップから読み取ったメダル価値データを、図３における制御部６００へ送信する。制御部６００は、受信したメダル価値データが示すメダル価値に基づいて、第３リフトアップホッパ１０２０を駆動する。これにより、メダル落下溝に落下したＩＣメダルＭ’のメダル価値に相当する枚数分のメダルＭが、メダル払出部１０３０からメダル投入機構１００における貯留面１０１へ払い出される。
【００５９】
一方、第３リフトアップホッパ１０２０における貯留部１０２１の入り口には、後述のメダルカウンタ１００６が設けられている。このメダルカウンタ１００６は、メダル搬送経路１００２から貯留部１０２１へ投入されるメダルＭの枚数をカウントする。メダルカウンタ１００６によりカウントされたメダルＭの枚数は、図３における制御部６００へ通知される。制御部６００は、通知されたメダルの枚数に基づいて第３リフトアップホッパ１０２０を駆動することで、この枚数分のメダルＭをメダル払出部１０３０からメダル投入機構１００における貯留面１０１へ払い出す。
【００６０】
なお、第３リフトアップホッパ１０２０は、ホッパ駆動部１０２２とリフトアップ部１０２３とを有し、制御部６００からの制御に基づいて、ホッパ駆動部１０２２が動作することで、払い出すメダルＭがリフトアップ部１０２３の端部に設けられたメダル払出部１０３０から払い出される。本実施形態１では、第３リフトアップホッパ１０２０及びメダル払出部１０３０を含むメダル払出機構が、メインテーブル５０１における前端５０１ａからメダル落下溝へメダルＭ又はＩＣメダルＭ’が落下することを条件に、メダルＭをプレイヤーへ払い出す払出手段として機能する。
【００６１】
メインテーブル５０１上には、サテライト抽選装置１０００のボールキャリア１５２０から供給されたボールＢ１，Ｂ２も存在する。このボールＢ１，Ｂ２は、プッシャー部５１０の往復運動によるメダルＭ又はＩＣメダルＭ’の流れに伴って、メインテーブル５０１上を移動した後、前端５０１ａからメダル落下溝へ落下する。前端５０１ａの下方すなわちメダル落下溝内には、上述したように、ボール搬送経路１０４０が設けられている。このボール搬送経路１０４０は、落下したボールＢ１，Ｂ２のみを受け止め、メダルＭ又はＩＣメダルＭ’を通過させるボール受け部１０４１と、ボール受け部１０４１で受け止めたボールを所定条件が満足するまで止めておくボール停止部１０４２と、ボール排出口１０４３とを有する。したがって、ボール受け部１０４１で受け止められたボールＢ１，Ｂ２は、ボール停止部１０４２により所定のタイミングまで止められた後、ボール排出口１０４３から排出される。これにより、ボールＢ１，Ｂ２がボール排出口１０４３に待機していたボール運搬部１９１０（図２参照）にセットされる。なお、図２におけるステーション部ＳＴと図３又は図７におけるステーション部ＳＴとは、説明の都合上、左右が反転されているが、構成は同様である。
【００６２】
また、メインテーブル５０１には、図７に示すように、メダルＭ及びＩＣメダルＭ’並びにボールＢ１及びＢ２の流れを制御するためのガイド部５３０Ｒ，５３０Ｌが設けられている。また、メインテーブル５０１の下方には、このガイド部５３０Ｒ，５３０Ｌをメインテーブル５０１に対して上下動させるためのガイド部移動機構５４０が設けられている。ガイド部５３０Ｒ，５３０Ｌは、それぞれ、ボールＢ１，Ｂ２の流れを制御するためのボールガイド板５３１と、メダルＭ又はＩＣメダルＭ’の流れを制御するためのメダルガイド板５３３と、ボールガイド板５３１及びメダルガイド板５３３を支持するための支持部５３４とを有する。また、ボールガイド板５３１及びメダルガイド板５３３は、これらの間に所定形状の通過口５３２が形成されるように、支持部５３４により上下に支持される。
【００６３】
ガイド部５３０Ｒ，５３０Ｌを下限の位置まで移動させた場合、ガイド部５３０Ｒ，５３０Ｌにおけるメダルガイド板５３３の上端はメインテーブル５０１の上面と同じか若しくはそれ以下に位置する。すなわち、ガイド部５３０Ｒ，５３０Ｌを下限位置まで移動させた場合、メダルガイド板５３３はメインテーブル５０１の下方に収納される。ただし、この場合でも、メダルガイド板５３３とボールガイド板５３１との間の通過口５３２全体が塞がれることはない。このようにメダルガイド板５３３がメインテーブル５０１の下方へ退避した状態では、メダルガイド板５３３によってメインテーブル５０１上のメダルＭ及びＩＣメダルＭ’の流れが妨げられないため、メダルＭ又はＩＣメダルＭ’が通過口５３２を通過して自由な方向へ流れることができる。すなわち、メダルＭ及びＩＣメダルＭ’はメインテーブル５０１のサイド端５０１ｂ側へ流れることができる。この結果、サイド端５０１ｂから落下するメダルＭ又はＩＣメダルＭ’が、例えばガイド部５３０Ｒ，５３０Ｌを上限の位置まで移動させた場合と比較して多く存在することとなる。ただし、支持部５３４によるメダルＭ及びＩＣメダルＭ’の流れの妨げは、説明の簡略化のため無視する。また、ガイド部５３０Ｒ，５３０Ｌを下限位置まで移動させた場合でも、ボールガイド板５３１はメインテーブル５０１上に突出するので、ボールＢ１，Ｂ２はボールガイド板５３１により流れが制限される。すなわち、ボールＢ１及びＢ２は、メインテーブル５０１のサイド端５０１ｂから落下しないように、前端５０１ａの方向へ導かれる。
【００６４】
一方、ガイド部５３０Ｒ，５３０Ｌを上限の位置まで移動させた場合、ガイド部５３０Ｒ，５３０Ｌにおけるメダルガイド板５３３の上端は、メインテーブル５０１の上に突出するこのような状態では、メダルガイド板５３３によってメインテーブル５０１上のメダルＭ及びＩＣメダルＭ’の流れが妨げられるため、メダルＭ及びＩＣメダルＭ’の流れる方向が前端５０１ａの方向へ制限される。この結果、サイド端５０１ｂから落下するメダルＭ及びＩＣメダルＭ’を、例えばガイド部５３０Ｒ，５３０Ｌを下限の位置まで移動させた場合と比較して少なくすることができる。ただし、支持部５３４によるメダルＭ及びＩＣメダルＭ’の流れの妨げは、説明の簡略化のため無視する。また、ガイド部５３０Ｒ，５３０Ｌを上限位置まで移動させた場合でも、ボールガイド板５３１はメインテーブル５０１上に突出しているため、ボールＢ１，Ｂ２はボールガイド板５３１により流れが制限される。すなわち、ボールＢ１及びＢ２は、メインテーブル５０１のサイド端５０１ｂから落下しないように、前端５０１ａの方向へ導かれる。
【００６５】
このように、本実施形態１では、ガイド部５３０Ｒ，５３０Ｌを下限位置まで移動させることで、言い換えれば、ガイド部５３０Ｒ，５３０Ｌのメダルガイド板５３３をメインテーブル５０１下に収納することで、ボールＢ１の流れを前端５０１ａの方向へ制限しつつ、メダルＭ及びＩＣメダルＭ’の流れる方向を比較的自由にすることができる。この結果、メインテーブル５０１から落下するメダルＭ及びＩＣメダルＭ’のうち、サイド端５０１ｂから落下するメダルＭ及びＩＣメダルＭ’の比率を多くすることが可能となる。一方、ガイド部５３０Ｒ，５３０Ｌを上限位置まで移動させることで、言い換えれば、ガイド部５３０Ｒ，５３０Ｌのメダルガイド板５３３をメインテーブル５０１上に突出させることで、ボールＢ１の流れと共に、メダルＭ及びＩＣメダルＭ’の流れを前端５０１ａの方向へ制限することができる。この結果、メダルＭ及びＩＣメダルＭ’の流れを前端５０１ａ方向へ集中させることができ、多くのメダルＭ及びＩＣメダルＭ’を前端５０１ａから落下させることができると共に、サイド端５０１ｂから落下するメダルＭ及びＩＣメダルＭ’の比率を少なくすることが可能となる。
【００６６】
（メダル投入機構の構成）
図１０は、本実施形態１におけるメダル投入機構１００を示す斜視図である。
図１１は、このメダル投入機構１００の正面図である。
図１２は、このメダル投入機構１００の上面図である。
図１３は、このメダル投入機構１００の正面透視図である。
【００６７】
メダル投入機構１００は、水平領域２１と、水平領域２１の両側に位置する第１の傾斜領域２２及び第２の傾斜領域２３と、第１の傾斜領域２２の外側に位置する第１の側部構造体１１７と、第２の傾斜領域２３の外側に位置する第２の側部構造体１１８とを含む。また、メダル投入機構１００は、複数のメダルを貯留する貯留面１０１を含む。貯留面１０１は、メダル投入機構１００の水平領域２１を構成する。
【００６８】
メダル投入機構１００は、更に、貯留面１０１の第１側部に接する第１の境界領域１０２から連続的に上方向に傾斜しながら延在する第１の傾斜壁を含む。第１の傾斜壁は、第１の傾斜領域２２を形成する。この第１の傾斜壁は、第１の傾斜壁下部領域１０４と第１の傾斜壁上部領域１０６とで構成される。第１の境界領域１０２は、曲面で構成される。
【００６９】
メダル投入機構１００は、更に、上述の第１の側部と反対側に位置する貯留面１０１の第２側部に接する第２の境界領域１０３から連続的に上方向に傾斜しながら延在する第２の傾斜壁を含む。第２の傾斜壁は、第２の傾斜領域２３を形成する。この第２の傾斜壁は、第２の傾斜壁下部領域１０５と第２の傾斜壁上部領域１０７とで構成される。第２の境界領域１０３は、曲面で構成される。
【００７０】
メダル投入機構１００は、更に、第１の傾斜壁に近接する位置に第１のメダル投入口１０８−１を有する第１のメダル投入部１０８と、第２の傾斜壁に近接する位置に第２のメダル投入口１０９−１を有する第２のメダル投入部１０９とを有する。第１の境界領域１０２と、第１の傾斜壁下部領域１０４と、第１の傾斜壁上部領域１０６と、第１のメダル投入部１０８とは、メダル投入機構１００の第１の傾斜領域２２を形成する。第２の境界領域１０３と、第２の傾斜壁下部領域１０５と、第２の傾斜壁上部領域１０７と、第２のメダル投入部１０９とは、メダル投入機構１００の第２の傾斜領域２３を形成する。
【００７１】
第１のメダル投入部１０８は、更に、第１の取り付けフランジ１１０を有し、この第１の取り付けフランジ１１０は、第１の境界領域１０２の一部から貯留面１０１の一部にかけて延在する。第２のメダル投入部１０９は、更に、第２の取り付けフランジ１１１を有し、この第２の取り付けフランジ１１１は、第２の境界領域１０３の一部から貯留面１０１の一部にかけて延在する。貯留面１０１上に延在する第１の取り付けフランジ１１０と第２の取り付けフランジ１１１とは、図１２に示すように、大きくラウンドされた角部を有する。第１の取り付けフランジ１１０と第２の取り付けフランジ１１１とは、メダルＭを貯留するメダル貯留領域を貯留面１０１上に画定する。第１の取り付けフランジ１１０と第２の取り付けフランジ１１１とは、互いに離間しており、２つのフランジ１１０，１１１間のメダル供給側１１９からメダルＭが供給される。供給されたメダルＭは、第１の取り付けフランジ１１０と第２の取り付けフランジ１１１との大きくラウンドされた角部に拘束される。貯留面１０１のメダル供給側１１９と反対側の側部には、貯留面１０１からプレイヤのいる手前側に供給されたメダルＭがこぼれ落ちるのを防止するための第１のメダル拘束プレート１１２が設けられる。
【００７２】
第１の傾斜壁下部領域１０４と第１の傾斜壁上部領域１０６との境界には、第１のガイド部１１３が形成される。第１のガイド部１１３は、第１の傾斜壁上部領域１０６を滑り落ちるメダルを係止し、第１のガイド部に沿って第１のメダル投入口１０８０−１へスライド転入させるように構成する。第１のガイド部１１３は、第１の傾斜壁下部領域１０４と第１の傾斜壁上部領域１０６との境界に形成された第１の段差１１３で構成する。第１の段差１１３は、第１のメダル投入口１０８−１へ向かって直線的に下降しながら延在する。第１の傾斜壁上部領域１０６は、第１のガイド部１１３に沿ってスライド転入するメダルＭとの摩擦を低減するよう形成された少なくとも１つの突部を有する。すなわち、第１の傾斜壁上部領域１０６は、第１のガイド部１１３からメダルＭの直径より小さい距離だけ上方に離間して、第１のガイド部１１３の延在する方向と概ね平行に延在する少なくとも１つの稜線形状突部１１５を有する。具体的には、図示されるように、複数の稜線形状突部１１５を形成する。
【００７３】
第２の傾斜壁下部領域１０５と第２の傾斜壁上部領域１０７との境界には、第２のガイド部１１４が形成される。第２のガイド部１１４は、第２の傾斜壁上部領域１０７を滑り落ちるメダルを係止し、第２のガイド部に沿って第２のメダル投入口１０９−１へスライド転入させるよう構成する。第２のガイド部１１４は、第２の傾斜壁下部領域１０５と第２の傾斜壁上部領域１０７との境界に形成された第２の段差１１４で構成する。第２の段差１１４は、第２のメダル投入口１０９−１へ向かって直線的に下降しながら延在する。第２の傾斜壁上部領域１０７は、第２のガイド部１１４に沿ってスライド転入するメダルＭとの摩擦を低減するよう形成された少なくとも１つの突部を有する。すなわち、第２の傾斜壁上部領域１０７は、第２のガイド部１１４からメダルＭの直径より小さい距離だけ上方に離間して、第２のガイド部１１４の延在する方向と概ね平行に延在する少なくとも１つの稜線形状突部１１６を有する。具体的には、図示されるように、複数の稜線形状突部１１６を形成する。
【００７４】
第１の傾斜壁上部領域１０６の外側上端部は、第１の側部構造体１１７と結合している。第１の側部構造体１１７は、変形Ｌ字断面形状を有し、水平上部、垂直壁部及び水平下部からなる。水平上部は第１の傾斜壁上部領域１０６の外側上端部から連続的に外側に向かって延在する。垂直壁部は、水平上部の外側端部から垂直下向きに延在する。水平下部は、垂直壁部の下端部から内側に向かって延在する。水平上部には、メダル排出経路４００の排出端部の位置及び向きを制御するための制御システムにおける操作ハンドルが取り付けられ、プレイヤーは、この操作ハンドルを操作してメダル排出経路４００の排出端部の位置及び向きを制御する。水平下部は、メダル投入機構１００を、ステーション部ＳＴの筐体８００に取り付けるための取り付けフランジの役目を果たす。
【００７５】
第２の傾斜壁上部領域１０７の外側上端部は、第２の側部構造体１１８と結合している。第２の側部構造体１１８は、変形Ｌ字断面形状を有し、水平上部、垂直壁部、及び水平下部からなる。水平上部は第２の傾斜壁上部領域１０７の外側上端部から連続的に外側に向かって延在する。垂直壁部は、水平上部の外側端部から垂直下向きに延在する。水平下部は、垂直壁部の下端部から内側に向かって延在する。水平上部には、メダル排出経路４００の排出端部の位置及び向きを制御するための制御システムにおける操作ハンドルが取り付けられ、プレイヤーは、この操作ハンドルを操作してメダル排出経路４００の排出端部の位置及び向きを制御する。水平下部は、メダル投入機構１００を、ステーション部ＳＴの筐体８００に取り付けるための取り付けフランジの役目を果たす。
【００７６】
貯留面１０１、第１の境界領域１０２、第２の境界領域１０３、第１の傾斜壁下部領域１０４、第２の傾斜壁下部領域１０５、第１の傾斜壁上部領域１０６及び第２の傾斜壁上部領域１０７は、同一部材で構成すれば、メダルＭが可動する領域にはつなぎ目が無くなり抵抗を減らすことが可能となる。
【００７７】
また、第１のメダル投入部１０８の第１のメダル投入口１０８−１及び第２のメダル投入部１０９の第２のメダル投入口１０９−１は、メダルＭが１枚だけ入ることが可能な寸法を有する。複数のメダルＭが同時に第１のメダル投入口１０８−１又は第２のメダル投入口１０９−１に入った場合、第１のメダル投入部１０８又は第２のメダル投入部１０９にメダルＭが詰まってしまうことを確実に防止するためである。
【００７８】
上述したメダル投入機構１００は、第１及び第２の側部の中間位置を基準にして概ね対称的な形状及び構造を有する。
【００７９】
図１４は、メダル投入機構１００の部分分解図である。
第１のメダル投入部１０８と第２のメダル投入部１０９とは同一構造なので、以下、第２のメダル投入部１０９を例に挙げてその内部構造を説明する。
第２のメダル投入部１０９は、第２のガイド部１１４すなわち第２の段差部１１４の終端部に近接する第２のメダル投入口１０９−１と、第２の段差部１１４の終端部と連通するメダル投入経路１０９−７と、メダル投入経路１０９−７と連通するメダル落下孔１０９−８と、メダル投入経路１０９−７と該メダル投入経路１０９−７との各々の両側部を画定する第１のメダルガイドプレート１０９−５及び第２のメダルガイドプレート１０９−６とを有する。メダル投入経路１０９−７は、第２のメダル投入口１０９−１を介して投入されたメダルＭをメダル落下孔１０９−８まで導くように形成される。
【００８０】
更に、第２のメダル投入部１０９は、第１のローラー１０９−４を有する第１の中間プレート１０９−３を有する。第１の中間プレート１０９−３は、第１のメダルガイドプレート１０９−５及び第２のメダルガイドプレート１０９−６に取り付けられる。第１のローラー１０９−４は、メダル落下孔１０９−８上に位置することで、メダル投入経路１０９−７を通過したメダルＭが、メダル落下孔１０９−８上にさしかかった際、第１のローラー１０９−４に当接し、メダルＭが僅かに押し下げられ、メダル落下孔１０９−８から落下する。落下したメダルＭは、図３に示すメダル搬送経路２００を介して第１リフトアップホッパ３００まで搬送される。そして、メダルＭは、第１リフトアップホッパ３００によりメダル排出経路４００の供給端までリフトアップされ、メダル排出経路４００を介して排出端からプレイフィールド５００上へ供給される。第２のメダル投入部１０９は、更に、第１のメダル投入部カバー１０９−２を有する。第１のメダル投入部カバー１０９−２は、第１の中間プレート１０９−３を覆う。また、第１のメダル投入部カバー１０９−２は、第２の取り付けフランジ１１１と一体的に形成され、第２の取り付けフランジ１１１が貯留面１０１に固定されることで、間接的に、第１の中間プレート１０９−３に対してその位置が固定される。
【００８１】
プレイヤーは、貯留面１０１に貯留しているメダルＭを、貯留面１０１から連続的に上方向に傾斜しながら延在する第１の傾斜壁下部領域１０４と第１の傾斜壁上部領域１０６、及び第２の傾斜壁下部領域１０５と第２の傾斜壁上部領域１０７に滑り上がらせて、メダルＭから手を離すと、重力によりメダルＭが第１の傾斜壁上部領域１０６及び第２の傾斜壁上部領域１０７を滑り落ち、第１のガイド部１１３を構成する第１の段差部１１３と第２のガイド部１１４を構成する第２の段差部１１４とに係止される。そして、第１の段差部１１３と第２の段差部１１４とは、メダルＭを重力により第１のメダル投入口１０８−１及び第２のメダル投入口１０９−１へスライド転入させるよう構成される。
【００８２】
すなわち、プレイヤーは、貯留面１０１から連続的に上方向に傾斜しながら延在する第１の傾斜壁下部領域１０４と第１の傾斜壁上部領域１０６、及び第２の傾斜壁下部領域１０５と第２の傾斜壁上部領域１０７にメダルＭを滑り上がらせて、後は、そのメダルＭから手を離せば重力によりメダルＭが第１の傾斜壁上部領域１０６及び第２の傾斜壁上部領域１０７を滑り落ち、第１の段差部１１３と第２の段差部１１４とに係止され、その後、メダルＭは、第１の段差部１１３と第２の段差部１１４とに沿って第１の投入部の第１のメダル投入口１０８−１及び第２のメダル投入口１０９−１まで重力によりスライド転入する。メダルＭが第１の段差部１１３と第２の段差部１１４とに沿って転がると、そのメダルＭは、第１の傾斜壁上部領域１０６及び第２の傾斜壁上部領域１０７に対してスライドすることになる。すなわち、プレイヤーは、メダルＭを貯留面１０１から第１の傾斜壁下部領域１０４と第１の傾斜壁上部領域１０６、及び第２の傾斜壁下部領域１０５と第２の傾斜壁上部領域１０７に沿って滑り上がらせて手を離せばよく、メダルＭをメダル投入口まで手で持って運びそのメダル投入口へ入れるという従来の作業に比べて、プレイヤーの手の動き楽にしている。このため、プレイヤーが連続して長時間メダルＭを投入し続けても、プレイヤーが感じる疲れを大幅に低減することが可能となる。また、メダルＭの投入に殆ど神経を使わないため、ゲームそのものに集中することが出来、ゲームを十分楽しむことが出来る。また、メダルＭの投入を完全に自動化せずにプレイヤーの投入作業を楽にしただけであるから、プレイヤーは、ゲームをしている実感を持ちながら連続して長時間プレイすることが可能となる。
【００８３】
（センター抽選装置の構成）
図１５は、センター抽選装置２０００の構成を示す正面図である。
図１６は、センター抽選装置２０００の構成を示す斜視図である。
センター抽選装置２０００は、主に、円形の回転搬送装置２１００と、回転搬送装置２１００を鉛直方向下側から支持する装置支持台２２００と、ディスプレイ装置２３００と、大型抽選ボール２４００を投入する大型ボール投入機構２５００と、大型ボール投入機構２５００から投入された大型抽選ボール２４００を回転搬送装置２１００へ搬送する搬送スロープ２６００とから構成されている。
【００８４】
回転搬送装置２１００は、装置支持台２２００に設けられた図示しない駆動装置によって図中反時計回り方向へ回転駆動する。この駆動装置により、回転搬送装置２１００は、本プッシャーゲーム機１の電源が入ってから常に一定の周期で回転する。回転搬送装置２１００の外周領域には、大型抽選ボール２４００が約１個分だけ収容可能な内部スペースを有する保持空間Ｆがその外周方向に沿って複数形成されている。本実施形態１では、回転搬送装置２１００の外周領域に２０個の保持空間Ｆが均等間隔で設けられている。各保持空間Ｆは、回転搬送装置２１００の回転により、回転搬送装置２１００の外周に沿って周回移動することになる。本実施形態１の回転搬送装置２１００は、その回転軸が鉛直方向に対しても水平方向に対しても傾斜している。よって、各保持空間Ｆは、鉛直面に対しても水平面に対しても傾斜した仮想平面に沿って周回移動する。
【００８５】
回転搬送装置２１００の図中左側のサイドには、大型ボール投入機構２５００が設けられている。この大型ボール投入機構２５００は、主に、大型抽選ボール２４００を受け取るボール回収口２５１０と、ボール回収口２５１０から受け取った大型抽選ボール２４００を保持するボール保持部２５２０と、ケース２５３０とから構成されている。ボール回収口２５１０に入り込んだ大型抽選ボール２４００は、ケース２５３０の内部を通って自重によりボール保持部２５２０へ搬送され、ボール保持部２５２０のボールストッパ２５２１によって止められる。このボールストッパ２５２１は、図示しないセンター抽選装置２０００の制御部の制御に応じて、大型抽選ボール２４００を止めるボール保持位置と大型抽選ボール２４００を解放するボール解放位置との間で駆動する。なお、図１６は、ボールストッパ２５２１がボール保持位置に位置決めされて、大型抽選ボール２４００がボール保持部２５２０に保持されている状態を示している。
【００８６】
ボールストッパ２５２１がボール保持位置からボール解放位置へ移動すると、ボール保持部２５２０に保持されていた大型抽選ボール２４００が自重により搬送スロープ２６００へと転がり込む。これにより、図１５に示すように、大型抽選ボール２４００はその搬送スロープ２６００上を自重により転がり、その搬送スロープ２６００の最下点を中心に振り子のように移動する。この搬送スロープ２６００は、その最下点を中心とした一部の領域が回転搬送装置２１００の保持空間Ｆに隣接しており、その領域は回転搬送装置２１００側へ傾斜するように構成されている。よって、搬送スロープ２６００上の大型抽選ボールの移動速度が徐々に遅くなってくると、回転搬送装置２１００の回転によって周回移動している保持空間Ｆのうち搬送スロープ２６００に隣接しているいずれかの保持空間Ｆ内に大型抽選ボール２４００が入り込むことになる。本実施形態１では、搬送スロープ２６００の最下点が回転搬送装置２１００側へ最も傾斜するように構成されており、搬送スロープ２６００の最下点に近いほど大型抽選ボール２４００が回転搬送装置２１００の保持空間Ｆ内に入りやすくなっている。
【００８７】
回転搬送装置２１００の各保持空間Ｆの内部には、図１６に示すように、その保持空間Ｆに大型抽選ボール２４００が入り込んだことを検知するためのボールセンサ２１０１が設けられている。各ボールセンサ２１０１はセンター抽選装置２０００の図示しない制御部に接続されており、その検知信号が制御部に送られるようになっている。これにより、センター抽選装置２０００の制御部は、どの保持空間Ｆに大型抽選ボール２４００が入ったかを把握することができる。
【００８８】
各保持空間Ｆには、それぞれ賞が割り当てられており、これらの賞の中に、本実施形態１ではジャックポット賞、イベント賞、メダル供給賞が含まれている。センター抽選装置２０００では、大型抽選ボール２４００がどの保持空間Ｆに入るかという物理抽選（ジャックポット抽選）を行うものである。ジャックポット賞は、ジャックポット貯留枚数（払出量）分のメダルＭが、当該ジャックポット抽選の開始条件を満たしたステーション部ＳＴのプレイフィールド５００へ供給される賞である。このジャックポット貯留枚数は、所定の初期値（例えば５００枚）に対し、すべてのステーション部ＳＴでメダルが投入されるたびにそのメダル投入枚数の一部に相当する枚数（例えば０．０３枚）を累積的に加算したものである。このジャックポット賞に入賞したときにプレイフィールド５００へ供給されるメダル枚数すなわちジャックポット貯留枚数は、本プッシャーゲーム機１において一度にプレイフィールド５００へ供給され得るメダル枚数の中で最も多くなるように設定されている。よって、本プッシャーゲーム機１でプレイするプレイヤーは、通常、このジャックポット賞に入賞することを狙ってプレイすることになる。
【００８９】
また、イベント賞は、これに当選すると上述した所定のイベント条件が満たされ、以後の所定のイベント期間中、当該ジャックポット抽選の開始条件を満たしたステーション部ＳＴが属するサテライト部ＳＡにおいて、これに属する４つのステーション部ＳＴのいずれかで行われるサテライト抽選装置１０００での物理抽選で当選した当選ビンゴ数字が、他の３つのステーション部ＳＴでも当選ビンゴ数字として取り扱われるという賞である。
【００９０】
また、メダル供給賞は、当該ジャックポット抽選の開始条件を満たしたステーション部ＳＴのプレイフィールド５００へ規定枚数分のメダルＭを供給する賞である。なお、このメダル供給賞に入賞することより供給されるメダル枚数は、ジャックポット貯留枚数の初期値よりも少なくするのが好ましい。
【００９１】
また、センター抽選装置２０００のディスプレイ装置２３００には、ジャックポット抽選を行っていない期間は、図１７に示すように、現在のジャックポット貯留枚数すなわち今ジャックポット賞に入賞したとしたらプレイフィールド５００へ供給されることになるメダル枚数を示す画面が表示される。一方、ジャックポット抽選を行っている期間中は、そのジャックポット抽選の演出画面が表示される。
【００９２】
ジャックポット抽選を開始する際には、図示しない駆動装置により、装置支持台２２００自体が鉛直方向に平行な回転軸を中心に回転して、そのジャックポット抽選の開始条件を満たしたステーション部ＳＴが属するサテライト部ＳＡに対してセンター抽選装置２０００が正面を向くように駆動する。その後、ジャックポット抽選を進行する。このジャックポット抽選の詳細については後述する。
【００９３】
（ゲーム制御系の構成）
図１８は、本プッシャーゲーム機１のゲーム制御系とメダルＭ又はＩＣメダルＭ’の排出制御系の主要構成を示すブロック図である。なお、このブロック図は、説明の便宜上、メダルＭ又はＩＣメダルＭ’の排出関係以外の駆動制御系等、例えばゲーム進行に応じて各部を駆動させるための駆動制御系等の構成については省略されている。
本実施形態１におけるゲーム制御系の構成は、主に、ステーション部ＳＴの制御部６００と、サテライト抽選装置１０００の制御部６１０と、センター抽選装置２０００の制御部６２０とから構成される。ステーション部ＳＴの制御部６００は、主に上述したスロットゲーム及びビンゴゲームの全体的な進行制御を担い、サテライト抽選装置１０００の制御部６１０は、主に上述したビンゴゲームの物理抽選の制御やボールＢ１，Ｂ２の搬送制御を担い、センター抽選装置２０００の制御部６２０は、主に上述したジャックポット抽選の制御を担う。
【００９４】
ステーション部ＳＴの制御部６００は、主に、制御装置６０１と、ＲＯＭ６０２と、ＲＡＭ６０３と、通信装置６０４とから構成される。制御装置６０１は、ＲＯＭ６０２に記憶されている各種プログラムを実行し、各種制御を行う。特に、制御装置６０１は、その内部のコンピュータによりＲＯＭ６０２に記憶されているプッシャーゲーム用の実行プログラムを実行することで、プッシャーゲームに必要な各種制御を行い、プッシャーゲームの進行を制御する。ＲＯＭ６０２は、ステーション部ＳＴの制御部６００で行うべき各種制御の実行プログラム等を記憶している。ＲＡＭ６０３は、各種データあるいは情報を一時的に記憶するものである。通信装置６０４は、サテライト抽選装置１０００の制御部６１０との間でデータ通信を行うためのものである。
【００９５】
サテライト抽選装置１０００の制御部６１０は、主に、制御装置６１１と、ＲＯＭ６１２と、ＲＡＭ６１３と、ステーション側通信装置６１４と、センター側通信装置６１５とから構成される。制御装置６１１は、ＲＯＭ６１２に記憶されている各種プログラムを実行し、各種制御を行う。ＲＯＭ６１２は、サテライト抽選装置１０００の制御部６１０で行うべき各種制御の実行プログラム等を記憶している。ＲＡＭ６１３は、各種データあるいは情報を一時的に記憶するものである。ステーション側通信装置６１４は、当該サテライト部ＳＡに属する各ステーション部ＳＴの制御部６００との間でデータ通信を行うためのものである。センター側通信装置６１５は、センター抽選装置２０００の制御部６２０との間でデータ通信を行うためのものである。
【００９６】
センター抽選装置２０００の制御部６２０は、主に、制御装置６２１と、ＲＯＭ６２２と、ＲＡＭ６２３と、通信装置６２４とから構成される。制御装置６２１は、ＲＯＭ６２２に記憶されている各種プログラムを実行し、各種制御を行う。特に、制御装置６２１は、その内部のコンピュータによりＲＯＭ６２２に記憶されているジャックポット抽選用の実行プログラムを実行することで、ジャックポット抽選に必要な各種制御を行い、ジャックポット抽選の進行を制御する。ＲＯＭ６２２は、センター抽選装置２０００の制御部６２０で行うべき各種制御の実行プログラム等を記憶している。ＲＡＭ６２３は、各種データあるいは情報を一時的に記憶するものである。通信装置６２４は、各サテライト部ＳＡの制御部６１０との間でデータ通信を行うためのものである。
【００９７】
以上の構成は、ステーション部ＳＴの制御部６００と、サテライト抽選装置１０００の制御部６１０と、センター抽選装置２０００の制御部６２０とが、直列に接続された例であるが、これらの制御部６００，６１０，６２０を互いに並列（スター型やバス型）に接続するようにしてもよい。
【００９８】
（スロットゲームの流れ）
次に、本実施形態１におけるプッシャーゲーム機１の各ステーション部ＳＴで進行するスロットゲームの流れについて説明する。
図１９は、本実施形態１におけるスロットゲームの流れを示すフローチャートである。
プレイヤーが貯留面１０１上のメダルＭを上述したようにして第１のメダル投入口１０８−１や第２のメダル投入口１０９−１へ投入すると、プレイフィールド内のサブテーブル５１１上に向けてメダルＭが送り出される。そして、サブテーブル５１１上のメダルＭ又はＩＣメダルＭ’のうちの一部が傾斜テーブル５１２を滑り落ち、チャッカー５１５−１，５１５−２，５１５−３のいずれかに進入して図示しないメダル検出手段により検出されると、その検出信号がステーション部ＳＴの制御部６００の制御装置６０１に送られ、制御装置６０１はチャッカー５１５−１，５１５−２，５１５−３のいずれかにメダルＭが入ったことを把握する（Ｓ１）。これにより、制御装置６０１は、スロットゲームの開始条件が満たされたと判断し、ＲＯＭ６０２に記憶されている抽選プログラムを実行し、生成した乱数が所定の当選テーブルに照らして上述したいずれかの役に当選したか又はハズレたかを決定するデジタル抽選を行う（Ｓ２）。また、制御装置６０１は、表示部７００に表示されている図４に示すスロット用ゲーム画面の３つのダイス状スロットＤＳを回転させる表示制御を行うとともに、デジタル抽選で当選役が決定した場合には表示部７００にその当選役に係る図柄の組み合わせが停止表示するように、３つのダイス状スロットＤＳの回転を停止させる表示制御を行う（Ｓ３）。
【００９９】
上記デジタル抽選でいずれの役にも当選しないハズレが決定された場合（Ｓ４）、制御装置６０１はそのままスロットゲームを終了する。
一方、小当たり役Ａに当選した場合（Ｓ５）、制御装置６０１は、第１リフトアップホッパ３００の通常メダル排出部３３０を制御し、プレイフィールド５００へ３枚のメダルＭを供給する（Ｓ６）。なお、本実施形態１では、プレイフィールド５００内へメダルＭを排出するための機構として、プレイヤーが貯留面１０１上のメダルＭを投入したときにプレイフィールド５００内のサブテーブル５１１上へメダルＭが送り出す第１リフトアップホッパ３００を兼用する場合について説明するが、第１リフトアップホッパ３００とは別の機構を用いてもよい。別の機構を用いる場合には、第１リフトアップホッパ３００と同様の構成を採用することができる。
【０１００】
また、小当たり役Ｂに当選した場合（Ｓ７）、制御装置６０１は、特殊メダル排出機構である第２リフトアップホッパ３５０のＩＣメダル排出部３８０を制御し、プレイフィールド５００へ３枚のＩＣメダルＭ’を供給する（Ｓ８）。
ここで、本実施形態１においては、制御部６００の制御装置６０１の制御の下、ＩＣメダル排出部３８０に予めセットされているＩＣメダルのＩＣチップに、制御部６００の制御装置６０１から命令された電子データを書き込むデータ書込手段としてのＩＣライタ３９０が設けられている。本実施形態１において、制御装置６０１は、小当たり役Ｂに当選した場合、プレイフィールド５００へ排出する各ＩＣメダルＭ’のＩＣチップに記憶されているメダル価値データを、所定のメダル価値決定条件に従って適宜書き換えた後、プレイフィールド５００へ排出する。所定のメダル価値決定条件としては、例えば乱数等により抽選で決定されるメダル価値データに書き換えるという条件を採用できる。また、当該プッシャーゲーム機１、サテライト部ＳＡ又は当該ステーション部ＳＴにおける実際のペイアウト率を目標ペイアウト率に近づけるために決定されたメダル価値データに書き換えるという条件も採用できる。この条件を採用する場合、実際のペイアウト率が目標ペイアウト率よりも低い場合には、排出するＩＣメダルＭ’に書き込まれるメダル価値データが大きくなるようにし、逆に、実際のペイアウト率が目標ペイアウト率よりも高い場合には、排出するＩＣメダルＭ’に書き込まれるメダル価値データが小さくなるようにする。
なお、所定のメダル価値決定条件は以上の例示した条件に限らず、他の条件を採用してもよい。また、ＩＣライタ３９０は必ずしも設ける必要はない。
【０１０１】
また、通常ボーナス役に当選した場合（Ｓ９）、制御装置６０１は、第１リフトアップホッパ３００の通常メダル排出部３３０を制御してプレイフィールド５００へ３０枚のメダルＭを供給する（Ｓ１０−１）。また、制御装置６０１は、以後のデジタル抽選で用いる当選テーブルとして、当選確率が低めに設定された通常当選テーブルを用いるように設定変更する（Ｓ１０−２）。
また、確変ボーナス役に当選した場合（Ｓ１１）、制御装置６０１は、第１リフトアップホッパ３００の通常メダル排出部３３０を制御してプレイフィールド５００へ３０枚のメダルＭを供給する（Ｓ１２−１）。また、制御装置６０１は、以後のデジタル抽選で用いる当選テーブルとして、当選確率が高めに設定された高確率当選テーブルを用いるように設定変更する（Ｓ１２−２）。
【０１０２】
また、ボール供給役が当選した場合（Ｓ１３）、制御装置６０１は、サテライト抽選装置１０００における制御部６１０の制御装置６１１へボールＢ１についてのボール供給命令を出力する。これにより、ボール供給機構１３００からボールキャリア１５２０へボールＢ１が受け渡され、そのボールキャリア１５２０から当該ボール供給役が当選したステーション部ＳＴのボール投入機構１８００へボールＢ１が受け渡される。ボール投入機構１８００へ受け渡されたボールＢ１は、ボール投入スロープ１８０１のストッパ１８０２によって一時的に保持される。そして、プレイヤーがボタン１６０を押し、その操作信号を制御装置６０１が受けったタイミングで、制御装置６０１は、ボールＢ１はストッパ１８０２から解放され、ボールＢ１がボール投入スロープ１８０１上を転がり落ち、ボール投入位置抽選機構１８１０へ受け渡される。そして、このボール投入位置抽選機構１８１０で、プレイフィールド５００上へのボール供給位置の抽選が行われ、メインテーブル５０１上における奥側か手前側のいずれかにボールＢ１が供給される（Ｓ１４）。このボール投入位置抽選機構１８１０は、ボールＢ１，Ｂ２が通過可能なボール受け口がボール投入スロープ１８０１の最下点を中心に手前側と奥側との間を往復移動する構成を有している。ボール受け口にボールが入るとメインテーブル５０１上の手前側にそのボールが供給され、ボール受け口にボールが入らないとメインテーブル５０１上の奥側にそのボールが供給される。ボールがメインテーブル５０１上の手前側に供給されると、メインテーブル５０１上の奥側に供給される場合に比べてメダル落下溝までの移動距離が短いため、そのボールＢ１をメダル落下溝へ落としやすくなり、ビンゴゲームの開始条件を満たしやすくなる。したがって、プレイヤーは、ストッパ１８０２で保持されたボールＢ１が、ボール投入位置抽選機構１８１０のボール受け口にボールＢ１が入るようにタイミングを計ってボタン１６０を押すようにプレイすることになる。
【０１０３】
また、直接サテライト役が当選した場合（Ｓ１５）、制御装置６０１は、サテライト抽選装置１０００における制御部６１０の制御装置６１１へボールＢ１についてのボール供給命令を出力する。これにより、ボール供給機構１３００からボールキャリア１５２０へボールＢ１が受け渡される。その後、ボールキャリア１５２０は、ステージボール投入機構１６００と対向する位置へ移動し、ステージボール投入機構１６００の受皿１６１０へボールＢ１を受け渡す。そして、プレイヤーがボタン１６０を押し、その操作信号を制御装置６０１が受けったタイミングで、制御装置６０１は、ボール投入命令がサテライト抽選装置１０００における制御部６１０の制御装置６１１へ出力する。これにより、ボールＢ１はボール投入経路１１１０を介してアウタービンゴステージ１１００へ投入され、物理抽選が行われる。また、直接サテライト役が当選した場合、制御装置６０１は、ビンゴゲームの開始条件が満たされたとして、後述するビンゴゲームを開始する（Ｓ２０）。
【０１０４】
また、直接センター役が当選した場合（Ｓ１６）、制御装置６０１は、サテライト抽選装置１０００の制御部６１０を介してセンター抽選装置２０００における制御部６２０の制御装置６２１に対し、ジャックポット抽選の開始命令を出力する。これにより、後述するセンター抽選装置２０００においてジャックポット抽選が開始される（Ｓ４０）。
【０１０５】
（ビンゴゲームの流れ）
次に、本実施形態１におけるプッシャーゲーム機１の各ステーション部ＳＴで進行するビンゴゲームの流れについて説明する。
図２０は、本実施形態１におけるビンゴゲームの流れを示すフローチャートである。
本実施形態１のビンゴゲームでは、ボールＢ１，Ｂ２がメダル落下溝に落ちるか、上述したスロットゲームで直接サテライト役に当選するかのいずれかのビンゴゲームの開始条件を満たすと（Ｓ２１）、ステーション部ＳＴにおける制御部６００の制御装置６０１は、ＲＯＭ６０２に記憶されているビンゴ実行プログラムを実行し、ビンゴゲームを開始する。具体的には、制御装置６０１は、まず、表示部７００に表示されている図４に示したスロット用ゲーム画面を図５に示したビンゴ用ゲーム画面に切り替え、その表示制御を行う（Ｓ２２）。ここで、ビンゴ用ゲーム画面に表示されているビンゴカード画像ＢＣは、過去の任意のタイミングで生成された配列情報に基づくものである。配列情報を生成するタイミングは、本プッシャーゲーム機１の電源投入時、図示しないリセットボタンの操作時、過去のビンゴゲームでビンゴが成立した時などが挙げられる。本実施形態１では、ビンゴゲームでビンゴが成立した時に新しい配列情報を生成し、これを過去の配列情報と置き換える場合を例に挙げて説明する。
【０１０６】
また、制御装置６０１は、ビンゴゲームの開始条件が満たされたとき、サテライト抽選装置１０００における制御部６１０の制御装置６１１へビンゴ開始命令を出力する。これにより、制御装置６１１は、その命令を受けたステーション部ＳＴのボール運搬機構１９００におけるボール運搬部走行スロープ１９０１の出口に対向する位置へボールキャリア１５２０を移動させる。また、制御装置６０１は、ボール運搬機構１９００を制御して、メダル落下溝に落下したボールＢ１，Ｂ２をボール運搬部走行スロープ１９０１からボールキャリア１５２０へ搬送する。その後、上述したようにサテライト抽選装置１０００における制御部６１０の制御装置６１１は、ボールキャリア１５２０をステージボール投入機構１６００の対向位置へ移動させ、そのボールＢ１，Ｂ２の種類に応じ、ステージボール投入機構１６００を制御してボールＢ１，Ｂ２をアウタービンゴステージ１１００又はインナービンゴステージ１２００へ投入する（Ｓ２３）。
【０１０７】
アウタービンゴステージ１１００又はインナービンゴステージ１２００へ投入されたボールＢ１，Ｂ２がいずれかの入賞スポット１１０１，１２０１に入ると、その信号がサテライト抽選装置１０００における制御部６１０の制御装置６１１に送られる。これにより、制御装置６１１は、どの入賞スポット１１０１，１２０１にボールＢ１，Ｂ２が入ったかを認識する。このとき、ボールＢ１，Ｂ２が入った入賞スポット１１０１，１２０１が、センター抽選装置２０００でのジャックポット抽選開始の権利が割り当てられたＪＰ入賞スポットである場合（Ｓ２４のＹｅｓ）、制御装置６１１は、センター抽選装置２０００における制御部６２０の制御装置６２１に、ジャックポット抽選の開始命令を出力する。これにより、センター抽選装置２０００においてジャックポット抽選が開始される（Ｓ４０）。
【０１０８】
一方、ボールＢ１，Ｂ２が入った入賞スポット１１０１，１２０１が、ビンゴ数字の割り当てられた入賞スポットである場合（Ｓ２４のＮｏ）、サテライト抽選装置１０００における制御部６１０の制御装置６１１は、その割り当てられているビンゴ数字を示す情報を、当該ビンゴゲームの開始条件を満たしたステーション部ＳＴにおける制御部６００の制御装置６０１へ出力する。この情報を受けた制御装置６０１は、記憶手段としてのＲＡＭ６０３内の当選ビンゴ数字記憶領域に、その情報に係るビンゴ数字を当選ビンゴ数字として記憶する。なお、この当選ビンゴ数字記憶領域には、当該ステーション部ＳＴに対応する配列情報が生成されてからの当選ビンゴ数字が累積的に記憶される。そして、制御装置６０１は、判定手段として機能し、その当選ビンゴ数字記憶領域に記憶されているすべての当選ビンゴ数字と、ＲＡＭ６０３内の配列情報記憶領域に記憶されている当該配列情報とを参照し、その配列情報が示すビンゴカード上の「１」から「９」のビンゴ数字の配列であるカード配列（抽選対象配列）上における当該すべての当選ビンゴ数字の配列が特定配列であるか否かのビンゴ判定を行う（Ｓ２５）。なお、本実施形態１における特定配列は、３×３のビンゴカード上における縦、横、斜めの列であり、合計８列である。
【０１０９】
本実施形態１において、各特定配列には、所定枚数のＩＣメダルＭ’をプレイフィールド５００へ払い出すＩＣメダル払出賞、ボールＢ１をプレイフィールド５００へ供給する通常ボール供給賞、ボールＢ２をプレイフィールド５００へ供給する特別ボール供給賞のいずれかが割り当てられている。上記ビンゴ判定において、制御装置６０１が特定配列でないと判定した場合すなわちビンゴが成立していないと判定した場合（Ｓ２５のＮｏ）、ビンゴゲームを終了する。
【０１１０】
一方、制御装置６０１は、ビンゴが成立したと判定し（Ｓ２５のＹｅｓ）、その特定配列が特別ボール供給賞に係るものである場合には（Ｓ２６のＹｅｓ）、特典付与手段として機能し、上述したスロットゲームにおいて小当たり役Ｂが当選した場合と同様の方法でプレイフィールド５００上へ所定枚数のＩＣメダルＭ’を供給するとともに（Ｓ２７−１）、上述したスロットゲームにおいてボール供給役が当選した場合と同様の方法でプレイフィールド５００上へボールＢ２を供給する（Ｓ２７−２）。
また、制御装置６０１は、ビンゴが成立した特定配列が通常ボール供給賞に係るものである場合には（Ｓ２８のＹｅｓ）、特典付与手段として機能し、上述したスロットゲームにおいて小当たり役Ｂが当選した場合と同様の方法でプレイフィールド５００上へ所定枚数のＩＣメダルＭ’を供給するとともに（Ｓ２９−１）、上述したスロットゲームにおいてボール供給役が当選した場合と同様の方法でプレイフィールド５００上へボールＢ１を供給する（Ｓ２９−２）。
また、制御装置６０１は、ビンゴが成立した特定配列がメダル供給賞に係るものである場合には（Ｓ２８のＮｏ）、特典付与手段として機能し、上述したスロットゲームにおいて小当たり役Ｂが当選した場合と同様の方法でプレイフィールド５００上へ所定枚数のＩＣメダルＭ’を供給する（Ｓ３０）。
なお、ビンゴが成立したときにプレイフィールド５００上へ供給されるＩＣメダルＭ’の枚数は、そのビンゴ成立に係る賞ごとに異なる枚数としてもよいし、同じ枚数としてもよい。また、ＩＣメダルＭ’ではなくメダルＭを供給するようにしてもよい。
【０１１１】
このようにして、ビンゴ成立後の処理を行った制御装置６０１は、配列情報生成手段として機能し、ＲＯＭ６０２に記憶されている配列情報生成プログラムを実行して新たな配列情報を生成し、ＲＡＭ６０３の配列情報記憶領域に記憶されている配列情報を新たに生成した配列情報に置き換えて、配列情報をリセットする（Ｓ３１）。
【０１１２】
（ジャックポット抽選の流れ）
次に、本実施形態１におけるプッシャーゲーム機１のセンター抽選装置２０００で進行するジャックポット抽選の流れについて説明する。
図２１は、本実施形態１におけるジャックポット抽選の流れを示すフローチャートである。
本実施形態１のジャックポット抽選は、上述したビンゴゲームにおけるサテライト抽選装置１０００での物理抽選でセンター抽選装置２０００でのジャックポット抽選開始の権利が割り当てられた入賞スポットにボールＢ１，Ｂ２が入るか、上述したスロットゲームで直接センター役に当選するかのいずれかのジャックポット抽選の開始条件を満たすと（Ｓ４１）、センター抽選装置２０００における制御部６２０の制御装置６２１は、ＲＯＭ６２２に記憶されているジャックポット実行プログラムを実行し、ジャックポット抽選を開始する。具体的には、制御装置６２１は、まず、装置支持台２２００を回転させて、当該ジャックポット抽選の開始条件を満たしたステーション部ＳＴが属するサテライト部ＳＡに対してセンター抽選装置２０００が正面を向くように駆動制御する。また、ディスプレイ装置２３００にジャックポット抽選の演出用画面を表示し、これを表示制御する。
【０１１３】
その後、当該ステーション部ＳＴでプレイするプレイヤーがそのステーション部ＳＴのボタン１６０を押すと（Ｓ４２）、その操作信号がそのステーション部ＳＴにおける制御部６００の制御装置６０１に入力される。これにより、制御装置６０１は、サテライト抽選装置１０００の制御部６１０を介してセンター抽選装置２０００における制御部６２０の制御装置６２１へボール投入命令を出力する。これにより、制御装置６２１は大型ボール投入機構２５００へボール投入命令を出力する。ボール投入命令を受けた大型ボール投入機構２５００は、ボールストッパ２５２１をボール保持位置からボール解放位置へ移動させ、ボール保持部２５２０に保持されていた大型抽選ボール２４００を搬送スロープ２６００へ投入する（Ｓ４３）。これにより、大型抽選ボール２４００は搬送スロープ２６００上をその最下点を中心に振り子のように移動し、最終的に回転搬送装置２１００のいずれかの保持空間Ｆ内に入り込む。大型抽選ボール２４００がいずれかの保持空間Ｆに入ると、その信号がセンター抽選装置２０００における制御部６２０の制御装置６２１に送られる。これにより、制御装置６２１は、大型抽選ボール２４００が入った保持空間Ｆを認識する。
【０１１４】
このとき、大型抽選ボール２４００が入った保持空間Ｆが、ジャックポット賞の割り当てられたものである場合（Ｓ４４のＹｅｓ）、制御装置６２１は、ＲＡＭ６２３からジャックポット貯留枚数データを読み取り、そのデータが示す枚数分のメダルＭを、当該ジャックポット抽選の開始条件を満たしたステーション部ＳＴのプレイフィールド５００へ供給するための処理を行う（Ｓ４５−１）。このとき、制御装置６２１からステーション部ＳＴにおける制御部６００の制御装置６０１へメダル供給命令を出力し、制御装置６０１は第１リフトアップホッパ３００の通常メダル排出部３３０を制御してメダルＭをプレイフィールド５００へ供給するようにしてもよい。ただし、ジャックポット賞に入賞したときに供給されるメダルＭは大量なので、上述した第１リフトアップホッパ３００とは別に、独自のメダル排出機構を用いてメダルＭを供給するようにしてもよい。この場合、ジャックポット賞に入賞したときの演出としても好適である。あるいは、上述した第２リフトアップホッパ３５０を利用し、供給するすべてのＩＣメダルＭ’のメダル価値データの総和が、ジャックポット貯留枚数データが示す枚数と同一になるように、ＩＣメダルＭ’を供給するようにしてもよい。なお、ＩＣメダルＭ’のメダル価値データの総和に生じた端数分は第１リフトアップホッパ３００を用いてメダルＭで供給する。
また、制御装置６２１は、ＲＡＭ６２３に記憶されているジャックポット貯留枚数データを初期値にリセットする（Ｓ４５−２）。
【０１１５】
一方、大型抽選ボール２４００が入った保持空間Ｆが、イベント賞の割り当てられたものである場合（Ｓ４６のＹｅｓ）、制御装置６２１は、当該ジャックポット抽選の開始条件を満たしたステーション部ＳＴにおける制御部６００の制御装置６０１へメダル供給命令を出力する。これにより、制御装置６０１は第１リフトアップホッパ３００の通常メダル排出部３３０を制御して、当該ステーション部ＳＴのプレイフィールド５００上へ所定枚数（例えば１００枚）のメダルＭを供給する（Ｓ４７−１）。また、制御装置６２１は、当該ステーション部ＳＴが属するサテライト部ＳＡのサテライト抽選装置１０００における制御部６１０の制御装置６１１へイベント開始命令を出力する。これを受けた制御装置６１１は、所定のイベント条件が満たされたと判断し、以後の所定のイベント期間中、当該サテライト部ＳＡに属する４つのステーション部ＳＴのいずれかについて行うビンゴゲームの物理抽選で当選する当選ビンゴ数字を、他の３つのステーション部ＳＴでも当選ビンゴ数字として取り扱うようにイベント処理する（Ｓ４７−２）。具体的には、制御装置６１１は、所定のイベント期間中に行うサテライト抽選装置１０００の物理抽選で当選した当選ビンゴ数字を示す情報を、当該サテライト部ＳＡに属するすべてのステーション部ＳＴにおける制御部６００の制御装置６０１へ出力する。
【０１１６】
また、大型抽選ボール２４００が入った保持空間Ｆが、メダル供給賞の割り当てられたものである場合（Ｓ４６のＮｏ）、制御装置６２１は、当該ジャックポット抽選の開始条件を満たしたステーション部ＳＴにおける制御部６００の制御装置６０１へメダル供給命令を出力する。これにより、制御装置６０１は第１リフトアップホッパ３００の通常メダル排出部３３０を制御して、当該ステーション部ＳＴのプレイフィールド５００上へ所定枚数のメダルＭを供給する（Ｓ４８）。
【０１１７】
以上、本実施形態１においては、メインテーブル５０１上に載置される多数のメダルの中に含まれるＩＣメダルＭ’がメダル落下溝に落下すると、そのＩＣメダルＭ’のＩＣチップに記憶されているメダル価値データがＩＣリーダ１００５に読み取られる。そして、ＩＣリーダ１００５が読み取ったメダル価値データが示すメダル価値に相当する枚数分のメダルＭが、メダル払出部１０３０からメダル投入機構１００における貯留面１０１へ払い出される。ここで、メダル落下溝にＩＣメダルＭ’が落下したときに何枚のメダルが払い出されるかは、そのＩＣメダルＭ’のＩＣチップに記憶されているメダル価値データの内容によって決まる。ＩＣメダルＭ’のＩＣチップに記憶する互いに異なる内容のメダル価値データの種類（本実施形態では、通常メダル１０枚分のメダル価値を有するもの、通常メダル３０枚分のメダル価値を有するもの、通常メダル５０枚分のメダル価値を有するもの、の３種類）を増やすことは、互いに形状が異なるメダルの種類を増やす場合に比べて容易である。したがって、本実施形態によれば、メダルがメダル落下溝へ落下したことを条件に払い出すメダル枚数が互いに異なる払出制御の種類を増やしてゲーム性を向上させることが容易である。
また、本実施形態１のようにＩＣリーダ１００５を備えることにより、メダル落下溝にＩＣメダルＭ’が落下することで、本プッシャーゲーム機あるいは本プッシャーゲーム機に接続されている他のゲーム装置や店舗の管理装置等の外部機器において、ＩＣメダルＭ’のＩＣチップ内の各種データを用いたデータ処理や制御が可能となる。よって、ＩＣメダルＭ’のＩＣチップ内の各種データを用いて、新たなゲーム性をプレイヤーに提供したり、各種サービスをプレイヤーに提供したりすることが可能となる。なお、ＩＣメダルＭ’のＩＣチップ内に記憶する電子データの種類は、その電子データを用いて行うデータ処理や制御の内容に応じて適宜決定される。
【０１１８】
なお、本実施形態１では、メダルＭ及びＩＣメダルＭ’の両方をプレイフィールド内に排出する場合について説明したが、ＩＣメダルＭ’だけをプレイフィールド内に排出するように構成してもよい。この場合、プレイフィールド内のメインテーブル５０１上に堆積するメダルのすべてをＩＣメダルＭ’とすることができる。
【０１１９】
また、本実施形態１では、ＩＣメダルＭ’がメダル落下溝に落下した場合、そのＩＣメダルＭ’のＩＣチップに記憶されているメダル価値データが示すメダル価値に相当する枚数分のメダルＭが、メダル払出部１０３０からメダル投入機構１００における貯留面１０１へ払い出される場合について説明したが、他の制御を行ってもよい。
例えば、ＩＣメダルＭ’がメダル落下溝に落下した場合、そのＩＣメダルＭ’のＩＣチップに記憶されているメダル価値データが示すメダル価値に相当する枚数分のメダルＭを、第１リフトアップホッパ３００によりプレイフィールド５００へ排出する制御を行ってもよい。
また、例えば、ＩＣメダルＭ’がメダル落下溝に落下した場合、そのＩＣメダルＭ’のＩＣチップに記憶されているメダル価値データと同一又は異なるメダル価値データが記憶されたＩＣメダルＭ’を、第２リフトアップホッパ３５０によりプレイフィールド５００へ排出する制御を行ってもよい。
【０１２０】
〔実施形態２〕
次に、本発明を、上記実施形態１と同様に、ゲーム装置としてのメダルゲーム機であるプッシャーゲーム機に適用した他の実施形態（以下、本実施形態を「実施形態２」という。）について説明する。
本実施形態２のプッシャーゲーム機は、メダル払出機構が異なる点を除き、その基本構成が上記実施形態１のものと同様であるので、以下の説明では上記実施形態１のプッシャーゲーム機とは異なる点についてだけ説明する。
【０１２１】
図２２は、プレイフィールド５００の下部に配置されたメダル払出機構の構成を示す斜視図である。
図２３は、本実施形態２におけるゲーム制御系とメダルＭ又はＩＣメダルＭ’の排出制御系の主要構成を示すブロック図である。
本実施形態２において、各ステーション部ＳＴのメダル払出機構には、上記実施形態１のプッシャーゲーム機にも設けられていた第３リフトアップホッパ１０２０のほかに、第４リフトアップホッパ１０５０が設けられている。本実施形態２において、第３リフトアップホッパ１０２０は通常メダル排出機構として機能し、第４リフトアップホッパ１０５０は特殊メダル排出機構として機能する。すなわち、第３リフトアップホッパ１０２０は、排出制御手段としての制御部６００の制御の下、メダルＭをゲーム装置外部に位置するメダル投入機構１００の貯留面１０１へ排出し、第４リフトアップホッパ１０５０は、排出制御手段としての制御部６００の制御の下、ＩＣメダルＭ’をゲーム装置外部に位置するメダル投入機構１００の貯留面１０１へ排出する。
【０１２２】
第４リフトアップホッパ１０５０の基本構成は、第３リフトアップホッパ１０２０の構成と同様である。ただし、第４リフトアップホッパ１０５０は、第４リフトアップホッパ１０５０のリフトアップ部１０５３に、排出するＩＣメダルのＩＣチップへ制御部６００から命令された電子データを書き込むデータ書込手段としてのＩＣライタ１０５４が設けられている点で、第３リフトアップホッパ１０２０の構成と異なっている。
【０１２３】
図９に示したメダル搬送経路１００２の仕分け孔１００３から落下したＩＣメダルＭ’を搬送するＩＣメダル搬送経路１００４は、本実施形態２では、第２リフトアップホッパ３５０のＩＣメダル貯留部３６０ではなく、図２２に示すように特殊メダル貯留容器としての貯留部１０５１へ接続されている。したがって、メダルＭ及びＩＣメダルＭ’がメインテーブル５０１の前端５０１ａからメダル落下溝へ落下すると、メダル受け１００１からメダル搬送経路１００２を通じて、メダルＭは通常メダル貯留容器としての貯留部１０２１へ搬送され、ＩＣメダルＭ’は第４リフトアップホッパ１０５０の貯留部１０５１へ搬送される。
【０１２４】
メダル落下溝へ落下したメダルＭの枚数は、第３リフトアップホッパ１０２０における貯留部１０２１の入り口に設けられたメダルカウンタ１００６でカウントされ、カウントされたメダルＭの枚数は制御部６００へ通知される。制御部６００は、上記実施形態１の場合と同様に、通知されたメダルの枚数に基づいて第３リフトアップホッパ１０２０のホッパ駆動部１０２２を駆動することで、この枚数分のメダルＭをリフトアップ部１０２３を通じてメダル払出部１０３０からメダル投入機構１００における貯留面１０１へ払い出す。
一方、ＩＣメダルＭ’がメダル落下溝へ落下した場合、ＩＣメダル搬送経路１００４に設けられたデータ読取手段としてのＩＣリーダ１００５により、ＩＣメダルＭ’のＩＣチップからメダル価値データを読み取り、読み取ったメダル価値データは制御部６００へ送信される。制御部６００は、受信したメダル価値データに基づき、第４リフトアップホッパ１０５０を制御する。具体的に説明すると、制御部６００は、リフトアップ部１０５３内のＩＣメダルＭ’のＩＣチップに対し、ＩＣリーダ１００５から受信したメダル価値データと同一のメダル価値データをＩＣライタ１０５４を用いて書き込む。書き込まれたＩＣメダルＭ’は、その後、リフトアップ部１０５３を通じてメダル払出部１０３０からメダル投入機構１００における貯留面１０１へ払い出される。
【０１２５】
また、上記実施形態１における、スロットゲーム、ビンゴゲーム、ジャックポット抽選では、いずれもメダルＭやＩＣメダルＭ’の供給先がプレイフィールド５００であったため、プレイヤーがメダルＭを獲得するには最終的にはメダルＭ及びＩＣメダルＭ’をメダル落下溝へ落下させる必要があった。しかし、スロットゲーム、ビンゴゲーム、ジャックポット抽選でメダルＭやＩＣメダルＭ’を供給するときに、メダルＭやＩＣメダルＭ’をメダル投入機構１００における貯留面１０１へ直接払い出すようにしてもよい。例えば、本実施形態２において、ジャックポット抽選においていずれかの賞に入賞した場合に排出されるメダルの排出先を、プレイフィールド５００ではなく、メダル投入機構１００の貯留面１０１としてもよい。このとき、特にジャックポット賞に入賞したとき、メダルＭだけで払い出しを行う場合、払い出されるメダルＭの量が多すぎてメダル投入機構１００の貯留面１０１から溢れてしまうおそれがある。よって、一度に大量のメダルＭを払い出す代わりに、そのメダル価値と同等のメダル価値分のＩＣメダルＭ’を払い出すようにすることが好ましい。
【０１２６】
ここで、払い出されたＩＣメダルＭ’は、店舗のカウンターに居る店員等に渡したり、本プッシャーゲーム機１とは別体のメダル交換機に投入したりすることで、そのＩＣチップに記憶されたメダル価値データが示すメダル価値に相当する枚数のメダルＭと交換することができる。なお、後者の場合、メダル交換機は、ＩＣメダル投入口からプレイヤーが投入したＩＣメダルＭ’のＩＣチップ内におけるメダル価値データを読み取るデータ読取手段としてのＩＣリーダと、メダルＭのメダル払出機構と、ＩＣリーダが読み取ったメダル価値データが示すメダル価値に相当する枚数のメダルＭをメダル払出機構に払い出させるように制御する払出制御部とを備えたものが利用できる。これらのＩＣリーダ、メダル払出機構、払出制御部としては、それぞれ、上述したプッシャーゲーム機１におけるＩＣリーダ１００５、第３リフトアップホッパ１０２０、制御部６００と同様の構成を採用できる。
【０１２７】
本実施形態２においては、払い出されたＩＣメダルＭ’をプレイヤーがプッシャーゲーム機１に投入できる構成となっている。
図２４は、本実施形態２におけるメダル投入機構１００の部分分解図である。
本実施形態２のメダル投入機構１００は、メダル投入経路１０８−７，１０９−７の途中、具体的にはメダル投入部カバー１０８−２，１０９−２により覆われた部分に、ＩＣメダルＭ’のＩＣチップに記憶されている電子データを読み取るデータ読取手段としてのＩＣリーダ１０８−９，１０９−９が設けられている点で、上記実施形態１のメダル投入機構１００とは異なっている。なお、第１のメダル投入部１０８と第２のメダル投入部１０９とは同一構造なので、以下、第２のメダル投入部１０９を例に挙げて説明する。
【０１２８】
メダル投入機構１００に投入されたメダルが搬送されるメダル投入経路１０８−７に設けられたメダル落下孔１０９−８は、上述したメダル仕分け部の仕分け孔１００３と同様の仕分け部を構成し、メダルＭはメダル落下孔１０９−８に落下せずに通過し、ＩＣメダルＭ’はメダル落下孔１０９−８に落下するように構成されている。メダル落下孔１０９−８に落下せずに通過したメダルＭは、メダル搬送経路２００を通じて第１リフトアップホッパ３００まで搬送される。一方、メダル落下孔１０９−８に落下したＩＣメダルＭ’は、第２リフトアップホッパ３５０まで搬送される。ＩＣメダルＭ’は、メダル落下孔１０９−８に落下する前にＩＣリーダ１０９−９により、そのＩＣチップに記憶されている電子データが読み取られる。すなわち、メダル投入機構１００に投入されたＩＣメダルＭ’は、すべて、そのＩＣチップに記憶されている電子データがＩＣリーダ１０９−９により読み取られる。これにより、本実施形態２においては、メダル投入機構１００に投入されたＩＣメダルＭ’のＩＣチップに記憶されている電子データを利用して、種々の制御を行うことができる。以下、その制御の具体例について例示する。
【０１２９】
図２５は、メダル投入機構１００にＩＣメダルＭ’が投入されたときの制御の流れの一例を示すフローチャートである。
制御部６００は、メダル投入機構１００に投入されたＩＣメダルＭ’のＩＣチップに記憶されている各種データをＩＣリーダ１０９−９が読み取ると（Ｓ５１）、まず、ＩＣリーダ１０９−９から受信する店舗ＩＤが有効な店舗ＩＤであるか否かを判断する（Ｓ５２）。具体的には、ＲＡＭ６０３に記憶されている有効店舗ＩＤデータを参照し、受信した店舗ＩＤが有効店舗ＩＤデータと一致するか否かを判断する。店舗ＩＤが有効な店舗ＩＤでないと判断した場合、何らかのエラー報知を起こったり、当該ＩＣメダルＭ’を第２リフトアップホッパ３５０まで搬送される前に回収し、プレイヤーへ返却したりするエラー処理を行う（Ｓ５３）。一方、店舗ＩＤが有効な店舗ＩＤであると判断した場合、次に、受信した有効期限データが示す有効期限が過ぎているか否かを判断する（Ｓ５４）。具体的には、ＲＡＭ６０３に記憶されている日付データ、時刻データ又は日時データを参照して、受信した有効期限データが示す有効期限が日付データ、時刻データ又は日時データを越えているか否かを判断する。有効期限を越えていると判断した場合、何らかのエラー報知を起こったり、当該ＩＣメダルＭ’を第２リフトアップホッパ３５０まで搬送される前に回収し、プレイヤーへ返却したりするエラー処理を行う（Ｓ５３）。一方、有効期限内であると判断した場合には、制御部６００は、ＩＣリーダ１０９−９から受信したメダル価値データに基づき、第１リフトアップホッパ３００を制御して、そのメダル価値データが示すメダル価値に相当する枚数分のメダルＭを、プレイフィールド５００へ連続して排出する処理を行う（Ｓ５５）。
【０１３０】
なお、ＩＣメダルＭ’のＩＣチップに記憶される有効期限データは、第４リフトアップホッパ１０５０のＩＣライタ１０５４を用いて書き込む。これにより、第４リフトアップホッパ１０５０によりプレイヤーへ払い出される直前に有効期限データを書き込むことができる。その結果、ＩＣメダルＭ’がプレイヤーの手元に渡った時点から起算した有効期限データをＩＣチップに書き込むことができ、適切な有効期限管理が可能となる。
【０１３１】
ここで、本実施形態２のＩＣメダルＭ’には、当選フラグデータがＩＣチップに記憶されている。制御部６００は、ＩＣリーダ１０９−９が読み取った当選フラグデータを受信したら、その当選フラグデータに基づいて当選フラグが立っているか否かを判断する（Ｓ５６）。具体的には、受信した当選フラグデータが「１」である場合は当選フラグが立っていると判断し、「０」である場合は当選フラグが立っていないと判断する。当選フラグが立っていないと判断した場合は、そのまま処理を終了する。一方、当選フラグが立っていると判断した場合は、当選フラグが立っていないＩＣメダルＭ’やメダルＭをメダル投入機構１００に投入したときには行われない特別な制御が行われる。この特別な制御の一例として、本実施形態２では、当選フラグが立っていると判断した場合、制御部６００は、いきなり、ジャックポット抽選の開始条件が満たされたと判断し、図２１に示したフローチャートに従ってジャックポット抽選を行うように制御する（Ｓ５７）。
【０１３２】
なお、上記特別な制御は、上記の例に限らず、様々な制御を採用できる。例えば、当選フラグが立っていると判断した場合、制御部６００は、一定期間の間、ジャックポット賞等の特定の賞の入賞確率が上げたり、ジャックポット貯留枚数を大幅に増加させたりする制御を行う。また、例えば、当選フラグが立っていると判断した場合、制御部６００は、当選フラグが立っているＩＣメダルＭ’をメダル投入機構１００に投入したときにしかできない専用のゲームを、表示部７００等を用いて進行するように制御を行う。
【０１３３】
本実施形態２によれば、メダルＭだけでなくＩＣメダルＭ’もプレイヤーへ払い出される構成であるため、プレイヤーはメダルＭとは異なるＩＣメダルＭ’を獲得できることを期待でき、ゲーム性が高まる。
なお、本実施形態２では、プレイヤーへ払い出すＩＣメダルＭ’のＩＣチップに書き込むメダル価値データは、メダル落下溝へ落下したＩＣメダルＭ’のＩＣチップに記憶されていたメダル価値データと同一としたが、異なるメダル価値データとしてもよい。この場合、制御部６００は、払い出すＩＣメダルＭ’のＩＣチップに、所定のメダル価値決定条件に従って決定されたメダル価値データを適宜書き込むことができる。所定のメダル価値決定条件としては、例えば乱数等により抽選で決定されるメダル価値データに書き換えるという条件を採用できる。また、当該プッシャーゲーム機１、サテライト部ＳＡ又は当該ステーション部ＳＴにおける実際のペイアウト率を目標ペイアウト率に近づけるために決定されたメダル価値データに書き換えるという条件も採用できる。この条件を採用する場合、実際のペイアウト率が目標ペイアウト率よりも低い場合には、払い出すＩＣメダルＭ’に書き込まれるメダル価値データが大きくなるようにし、逆に、実際のペイアウト率が目標ペイアウト率よりも高い場合には、払い出すＩＣメダルＭ’に書き込まれるメダル価値データが小さくなるようにする。もちろん、所定のメダル価値決定条件は以上の例示した条件に限らず、他の条件を採用してもよい。
【０１３４】
また、本実施形態２のようにＩＣメダルＭ’をプレイヤーへ払い出す構成においては、ＩＣメダルＭ’がメダル落下溝に落下した場合、そのＩＣメダルＭ’のＩＣチップに記憶されているメダル価値データと同一又は異なるメダル価値データが記憶されたＩＣメダルＭ’を、第４リフトアップホッパ１０５０によりメダル払出部１０３０からメダル投入機構１００における貯留面１０１へ払い出すように制御してもよい。
【０１３５】
また、払い出されたＩＣメダルＭ’をプレイヤーがプッシャーゲーム機１に投入できるような構成としては、例えば、以下のような構成であってもよい。
すなわち、メダル投入機構１００に投入されたメダルが搬送されるメダル搬送経路２００中に、上記メダル搬送経路１００２の底面に設けられた仕分け孔１００３のようなメダル仕分け部を設け、メダル投入機構１００に投入されたメダルＭとＩＣメダルＭ’とを仕分けできるようにする。このとき、メダルＭは第１リフトアップホッパ３００の通常メダル貯留部３１０へ搬送し、ＩＣメダルＭ’は第２リフトアップホッパ３５０のＩＣメダル貯留部３６０へ搬送するように構成する。また、メダル投入機構１００に投入されたＩＣメダルＭ’が第２リフトアップホッパ３５０のＩＣメダル貯留部３６０へ搬送されるまでの間に、そのＩＣメダルＭ’のＩＣチップ内の電子データを読み取るデータ読取手段としてのＩＣリーダを設け、ＩＣリーダで読み取ったメダル価値データを制御部６００で受信できるようにする。そして、制御部６００は、ＩＣリーダから受信したメダル価値データが示すメダル価値に相当するメダルＭがプレイフィールド５００に連続的に排出されるように、第１リフトアップホッパ３００を制御する。以上の構成により、プレイヤーがＩＣメダルＭ’をメダル投入機構１００に投入した場合、そのＩＣメダルＭ’のＩＣチップに記憶されたメダル価値データが示すメダル価値に相当する枚数分のメダルＭが連続してプレイフィールド５００内に排出される。
【０１３６】
また、払い出されたＩＣメダルＭ’をプレイヤーがプッシャーゲーム機１に投入できるようにするための構成としては、次のような構成も採用できる。
すなわち、特殊メダル受取手段としてのメダル投入機構１００に投入されたメダルが搬送されるメダル搬送経路２００中に、上記メダル搬送経路１００２の底面に設けられた仕分け孔１００３のようなメダル仕分け部を設け、メダル投入機構１００に投入されたメダルＭとＩＣメダルＭ’とを仕分けできるようにする。このとき、メダルＭは第１リフトアップホッパ３００の通常メダル貯留部３１０へ搬送し、ＩＣメダルＭ’は特殊メダル案内手段としての第２リフトアップホッパ３５０へ搬送するように構成する。ここで、第２リフトアップホッパ３５０には上記ＩＣメダル貯留部３６０を設けず、第２リフトアップホッパ３５０は、メダル投入機構１００に投入されたＩＣメダルＭ’そのものをプレイフィールド５００に排出するように駆動する。以上の構成により、プレイヤーがＩＣメダルＭ’をメダル投入機構１００に投入した場合、そのＩＣメダルＭ’そのものがプレイフィールド５００内に排出される。
【０１３７】
〔実施形態３〕
次に、本発明を、上記実施形態１及び２と同様に、ゲーム装置としてのメダルゲーム機であるプッシャーゲーム機に適用した更に他の実施形態（以下、本実施形態を「実施形態３」という。）について説明する。
なお、本実施形態３のプッシャーゲーム機は、メダル落下溝にＩＣメダルＭ’が落下したときの制御動作が異なる点以外は、上記実施形態２のものと同様であるので、以下、メダル落下溝にＩＣメダルＭ’が落下したときの制御動作についてだけ説明する。
【０１３８】
図２６は、メダル落下溝にＩＣメダルＭ’が落下したときの制御の流れの一例を示すフローチャートである。
制御部６００は、メダル落下溝に落下したＩＣメダルＭ’のＩＣチップに記憶されている各種データをＩＣリーダ１００５が読み取ると（Ｓ６１）、まず、ＩＣリーダ１００５から受信したメダル価値データに基づき、第１リフトアップホッパ３００を制御して、そのメダル価値データが示すメダル価値に相当する枚数分のメダルＭを、プレイフィールド５００へ連続して排出する処理を行う（Ｓ６２）。この処理は、上述したように、ＩＣメダルＭ’をプレイフィールド５００へ連続して排出する処理や、メダルＭやＩＣメダルＭ’をプレイヤーへ払い出す処理に置き換えてもよい。
【０１３９】
ここで、本実施形態３のＩＣメダルＭ’も、上記実施形態２と同様に、当選フラグデータがＩＣチップに記憶されている。制御部６００は、ＩＣリーダ１００５が読み取った当選フラグデータを受信したら、その当選フラグデータに基づいて当選フラグが立っているか否かを判断する（Ｓ６３）。具体的には、受信した当選フラグデータが「１」である場合は当選フラグが立っていると判断し、「０」である場合は当選フラグが立っていないと判断する。当選フラグが立っていないと判断した場合は、そのまま処理を終了する。一方、当選フラグが立っていると判断した場合は、当選フラグが立っていないＩＣメダルＭ’やメダルＭをメダル落下溝に落下したときには行われない特別な制御が行われる。この特別な制御の一例として、本実施形態３では、当選フラグが立っていると判断した場合、制御部６００は、いきなり、ジャックポット抽選の開始条件が満たされたと判断し、図２１に示したフローチャートに従ってジャックポット抽選を行うように制御する（Ｓ６４）。
なお、上記特別な制御は、上記の例に限らず、実施形態２の場合と同様に様々な制御を採用できる。
【０１４０】
以上のとおり、上記実施形態１乃至３のプッシャーゲーム機においては、載置面であるメインテーブル５０１の上面に載置される多数の有体物がメダルであり、電子データを記憶する記憶部を備えた特殊有体物が特殊メダルとしてのＩＣメダルＭ’である。このような構成により、有体物としてメダルを用いる従来の一般的なプッシャーゲーム機に対して本発明を適用するに際し、大きな設計変更の必要がなくなる。
特に、上述したように、ＩＣメダルＭ’を受け取る特殊メダル受取手段と、特殊メダル受取手段が受け取ったＩＣメダルＭ’をメインテーブル５０１の上面に向けて案内する特殊メダル案内手段とを有する構成にすれば、簡易な機構でＩＣメダルＭ’をメインテーブル５０１上に供給する構成を提供できる。
【０１４１】
なお、上記実施形態１乃至３のプッシャーゲーム機においては、電子データを記憶する記憶部を備えた特殊有体物がＩＣメダルＭ’である場合について説明したが、特殊有体物は必ずしもメダル形状のものである必要はなく、例えば上記ボールＢ１，Ｂ２を当該特殊有体物として利用することもできる。この場合、ボールＢ１，Ｂ２の内部にＩＣチップ等の記憶部を設けて、ボールＢ１，Ｂ２がメダル落下溝に落下したときにそのボールＢ１，Ｂ２の記憶部に記憶されている電子データを読み取るように構成すればよい。この場合、メインテーブル５０１の上面には、上述したＩＣメダルＭ’を使用する必要がなくなる。
【０１４２】
上記実施形態１乃至３のプッシャーゲーム機においては、データ読取手段としてのＩＣリーダ１００５が読み出した電子データに基づいて決定される払出量分のメダルＭ（ゲーム媒体）をプレイヤーへ払い出すためのゲーム媒体払出手段を有している。これにより、ＩＣメダルＭ’がメダル落下溝に落下したときに、そのＩＣメダルＭ’のＩＣチップに記憶された電子データの内容に応じた払出量分のメダルＭが払い出されるというゲーム性を提供できる。
また、上述したように、ＩＣリーダ１００５が読み出した電子データに基づいて決定される排出量分のメダルＭをメインテーブル５０１の上面に向けて排出する有体物排出手段を設けてもよい。この場合、ＩＣメダルＭ’がメダル落下溝に落下したときに、そのＩＣメダルＭ’のＩＣチップに記憶された電子データの内容に応じた排出量分のメダルＭがプレイフィールド内のメインテーブル５０１の上面に向けて排出されるというゲーム性を提供できる。
【０１４３】
また、上記実施形態１乃至３のプッシャーゲーム機においては、ＩＣメダルＭ’のＩＣチップ（記憶部）にメダル価値データ等の電子データを書き込むデータ書込手段としてのＩＣライタ３９０，１０５４を有している。このようなＩＣライタを備えることで、本プッシャーゲーム機においてＩＣメダルＭ’のＩＣチップ内に必要な電子データを書き込むことができ、プレイヤーに対して新たなゲーム性を提供したり、各種サービスを提供したりすることが容易になる。
特に、上記実施形態１乃至３のプッシャーゲーム機においては、第２リフトアップホッパ３５０が排出するＩＣメダルＭ’のＩＣチップに所定の電子データを書き込むＩＣライタ３９０を備えているので、排出されるＩＣメダルＭ’に対して、プレイフィールドへ排出する直前に所定の電子データを書き込むことができる。その結果、プレイフィールドへ排出する直前の最新データをＩＣメダルＭ’に書き込むことができる。
【０１４４】
なお、上記実施形態１乃至３のプッシャーゲーム機においては、特殊メダルであるＩＣメダルＭ’が通常メダルであるメダルＭとは外観が異なっている。排出されるメダルＭとＩＣメダルＭ’の外観が同一であると、プレイヤーが一見して排出されたメダルが通常のメダルＭなのかＩＣメダルＭ’なのかを識別できない。この場合、排出されたメダルがメダルＭなのかＩＣメダルＭ’なのかをプレイヤーが外観で識別できないと提供できないようなゲーム性の提供が不可能となる。これに対し、上記実施形態１乃至３においては、排出されるメダルＭとＩＣメダルＭ’は互いに外観が異なるので、プレイヤーが一見して排出されたメダルがメダルＭなのかＩＣメダルＭ’なのかを識別できる。したがって、排出されたメダルがメダルＭなのかＩＣメダルＭ’なのかをプレイヤーが外観で識別できないと提供できないようなゲーム性の提供が可能となる。
一方で、特殊メダルであるＩＣメダルＭ’が通常メダルであるメダルＭとは外観が同一であってもよい。この場合には、逆に、排出されたメダルがメダルＭなのかＩＣメダルＭ’なのかをプレイヤーが外観で識別できてしまうと提供できないようなゲーム性の提供が可能となる。
【０１４５】
なお、本発明は、載置面上の一部分に存在するメダル等の有体物を載置面上の他部分側に押し出すように載置面に対してその一部分に沿って相対的に往復移動する押出部材で有体物が押し出されることにより載置面上の有体物が落下溝へ落下するプッシャーゲーム機であれば、その有体物としてメダルを用いるメダルゲーム機に限らず、あらゆるゲーム機について適用可能である。
【符号の説明】
【０１４６】
１  プッシャーゲーム機
１００  メダル投入機構
１０１  貯留面
１０８−９，１０９−９，１００５  ＩＣリーダ
３００  第１リフトアップホッパ
３１０  通常メダル貯留部
３２０  リフトアップ部
３３０  通常メダル排出部
３５０  リフトアップホッパ
３６０  ＩＣメダル貯留部
３７０  リフトアップ部
３８０  ＩＣメダル排出部
３９０，１０５４  ＩＣライタ
５００  プレイフィールド
５０１  メインテーブル
５１０  プッシャー部
６００，６１０，６２０  制御部
１０００  サテライト抽選装置
１００２  メダル搬送経路
１００３  仕分け孔
１００４  ＩＣメダル搬送経路
１０２０  第３リフトアップホッパ
１０２１  貯留部
１０２２  ホッパ駆動部
１０２３  リフトアップ部
１０３０  メダル払出部
１０５０  第４リフトアップホッパ
１０５１  貯留部
１０５３  リフトアップ部
１３００，１４００  ボール供給機構
２０００  センター抽選装置
Ｂ１，Ｂ２  ボール
Ｍ  メダル
Ｍ’  ＩＣメダル
ＳＡ  サテライト部
ＳＴ  ステーション部
【図１】
2010063906.tif 000003
【図２】
2010063906.tif 000004
【図３】
2010063906.tif 000005
【図６】
2010063906.tif 000006
【図７】
2010063906.tif 000007
【図８】
2010063906.tif 000008
【図９】
2010063906.tif 000009
【図１０】
2010063906.tif 000010
【図１１】
2010063906.tif 000011
【図１２】
2010063906.tif 000012
【図１３】
2010063906.tif 000013
【図１４】
2010063906.tif 000014
【図１５】
2010063906.tif 000015
【図１６】
2010063906.tif 000016
【図１８】
2010063906.tif 000017
【図１９】
2010063906.tif 000018
【図２０】
2010063906.tif 000019
【図２１】
2010063906.tif 000020
【図２２】
2010063906.tif 000021
【図２３】
2010063906.tif 000022
【図２４】
2010063906.tif 000023
【図２５】
2010063906.tif 000024
【図２６】
2010063906.tif 000025
【図４】
2010063906.tif 000026
【図５】
2010063906.tif 000027
【図１７】
2010063906.tif 000028